(57)【要約】【課題】  ユーザが簡易かつ容易に初期設定を行ない得る情報組込み機器を提供する。【解決手段】  この発明の情報組込み機器は、初期設定情報を生成する初期設定プログラム１１を格納する組込側プログラム格納部１０と、初期設定プログラム１１に基づき初期設定情報を生成する生成処理を実行して生成した初期設定情報を送信する表示／入力装置に、初期設定プログラム１１を送信するプログラム送信部６と、プログラム送信部６の送信した初期設定プログラム１１を受信した表示／生成装置が生成処理を実行して生成した初期設定情報を表示／入力装置から受信する組込側通信部８と、組込側通信部８が受信した初期設定情報を格納する設定情報格納部９とを備えた。【選択図】        図８
2006244396.tif 000002
【特許請求の範囲】
【請求項１】
自機器の設定に使用する機器設定情報を組み込む情報組込み機器において、
前記機器設定情報を生成する設定生成プログラムを格納する組込側プログラム格納部と、
前記設定生成プログラムに基づき前記機器設定情報を生成する生成処理を実行して生成した前記機器設定情報を送信する情報生成装置に、前記設定生成プログラムを送信するプログラム送信部と、
前記プログラム送信部の送信した前記設定生成プログラムを受信した前記情報生成装置が前記生成処理を実行して生成した前記機器設定情報を前記情報生成装置から受信する組込側通信部と、
前記組込側通信部が受信した前記機器設定情報を格納する設定情報格納部と
を備えたことを特徴とする情報組込み機器。
【請求項２】
前記情報組込み機器は、さらに、
前記プログラム送信部が前記設定生成プログラムを送信するべき前記情報生成装置を検索する装置検索部を備え、
前記プログラム送信部は、
前記装置検索部が検索した前記情報生成装置に前記設定生成プログラムを送信することを特徴とする請求項１記載の情報組込み機器。
【請求項３】
前記情報組込み機器は、さらに、
前記装置検索部が２以上の前記情報生成装置を検索した場合に、前記プログラム送信部に前記２以上の情報生成装置のそれぞれに前記設定生成プログラムを送信させる組込側設定部を備えたことを特徴とする請求項２記載の情報組込み機器。
【請求項４】
前記プログラム送信部が送信する前記設定生成プログラムは、
前記情報生成装置に、前記機器設定情報を生成するための生成情報の入力を受け付ける入力操作処理と、
前記入力操作処理により前記生成情報の入力を受け付けた場合に前記機器設定情報の生成処理の実行中であることを示す実行中通知を前記装置検索部が検索した他の情報生成装置に送信し、前記装置検索部が検索した他の情報生成装置から前記実行中通知を受信した場合に前記機器設定情報の生成処理を中止する設定制御処理と
を実行させることを特徴とする請求項３記載の情報組込み機器。
【請求項５】
前記情報組込み機器は、さらに、
前記設定生成プログラムを配信する配信サーバから前記設定生成プログラムを受信する組込側プログラム受信部を備え、
前記組込側プログラム格納部は、
前記組込側プログラム受信部が前記配信サーバから受信した前記設定生成プログラムを格納することを特徴とする請求項１記載の情報組込み機器。
【請求項６】
情報を生成する情報生成装置において、
自機器の設定に使用する機器設定情報を組み込む情報組込み機器の前記機器設定情報を生成する設定生成プログラムを受信する装置側プログラム受信部と、
前記装置側プログラム受信部が受信した前記設定生成プログラムを格納する装置側プログラム格納部と、
前記装置側プログラム格納部が格納した前記設定生成プログラムを起動し、起動した前記設定生成プログラムに前記機器設定情報を生成させる装置側制御部と、
前記装置側制御部が起動した前記設定生成プログラムによって生成された前記機器設定情報を前記情報組込み機器に送信する装置側通信部と
を備えたことを特徴とする情報生成装置。
【請求項７】
前記情報組込み機器は、
前記設定生成プログラムを送信し、
前記装置側プログラム受信部は、
前記情報組込み機器が送信した前記設定生成プログラムを受信することを特徴とする請求項６記載の情報生成装置。
【請求項８】
前記装置側プログラム受信部は、
前記設定生成プログラムを配信する配信サーバから前記設定生成プログラムを受信することを特徴とする請求項６記載の情報生成装置。
【請求項９】
前記装置側プログラム格納部は、
複数の設定生成プログラムを格納し、
前記装置側制御部は、
前記装置側プログラム格納部が格納する前記複数の設定生成プログラムのうちのいずれかの起動を要求する起動要求を受け付け、受け付けた前記起動要求に基づき、前記起動要求に係る前記設定生成プログラムを起動することを特徴とする請求項６記載の情報生成装置。
【請求項１０】
前記情報生成装置は、さらに、
前記装置側制御部が前記設定生成プログラムに生成させた前記機器設定情報を格納する不揮発性の不揮発性メモリを備えたことを特徴とする請求項６記載の情報生成装置。
【請求項１１】
前記装置側プログラム受信部が受信する前記設定生成プログラムは、
前記情報生成装置に、前記機器設定情報を生成するための生成情報の入力を受け付ける入力操作処理と、
前記入力操作処理により受け付けた前記生成情報に基づいて前記機器設定情報を生成する設定制御処理と
を実行させることを特徴とする請求項６記載の情報生成装置。
【請求項１２】
前記情報生成装置は、さらに、
前記生成情報の入力を受け付けるために使用する入力装置を備え、
前記装置側プログラム受信部が受信する前記設定生成プログラムは、
前記情報生成装置に、前記入力操作処理において、前記入力装置を介して前記生成情報の入力を受け付けさせることを特徴とする請求項１１記載の情報生成装置。
【請求項１３】
前記情報生成装置は、さらに、
画面を表示する画面表示装置と接続する接続部を備え、
前記装置側プログラム受信部が受信する前記設定生成プログラムは、
前記情報生成装置に、前記入力装置を介して前記生成情報の入力を受け付ける場合に前記生成情報を入力するための入力画面を前記接続部介して接続する前記画面表示装置に表示するとともに前記入力装置からの前記生成情報の入力結果を前記入力画面に表示する表示操作処理を実行させることを特徴とする請求項１２記載の情報生成装置。
【請求項１４】
前記情報生成装置は、さらに、
画面を表示する表示部を備え、
前記装置側プログラム受信部が受信する前記設定生成プログラムは、
前記情報生成装置に、前記入力装置を介して前記生成情報の入力を受け付ける場合に前記生成情報を入力するための入力画面を前記表示部に表示するとともに前記入力装置からの前記生成情報の入力結果を前記入力画面に表示する表示操作処理を実行させることを特徴とする請求項１２記載の情報生成装置。
【請求項１５】
前記情報生成装置は、さらに、
前記入力装置を制御する入力装置制御情報を格納する入力装置制御情報記憶部を備え、
前記装置側プログラム受信部が受信する前記設定生成プログラムは、
前記情報生成装置に、前記入力装置制御情報記憶部が記憶する前記入力装置制御情報を取得する入力装置制御情報取得処理を実行させるとともに、前記表示操作処理において、前記入力装置制御情報取得処理により取得した前記入力装置制御情報に基づいて、前記入力画面に前記入力装置の操作手順を表示させることを特徴とする請求項１４記載の情報生成装置。
【請求項１６】
前記装置側通信部は、
前記設定生成プログラムの運用を補助するコールセンタ装置と通信可能であり、
前記装置側プログラム受信部が受信する前記設定生成プログラムは、
前記情報生成装置に、前記装置側通信部を介して前記コールセンタ装置と通信するコールセンタ通信処理を実行させることを特徴とする請求項６記載の情報生成装置。
【請求項１７】
前記コールセンタ装置は、
現在の機器設定情報を受信した場合に、受信した前記現在の機器設定情報への編集を受け付け、編集された前記現在の機器設定情報を編集済み機器設定情報として前記機器設定情報の送信元に返信し、
前記装置側プログラム受信部が受信する前記設定生成プログラムは、
前記現在の機器設定情報を格納するデータ格納領域を備えるとともに、前記情報生成装置に、前記コールセンタ通信処理において、前記装置側通信部を介することにより、前記データ格納領域に格納する前記現在の機器設定情報を前記コールセンタ装置へ送信させるとともに前記コールセンタ装置の返信する前記編集済み機器設定情報を受信させ受信させた前記編集済み機器設定情報を前記情報組込み機器へ送信させることを特徴とする請求項１６記載の情報生成装置。
【請求項１８】
自機器の設定に使用する機器設定情報を組み込む情報組込み機器において、
情報を送受信する組込側通信部と、
前記機器設定情報を格納する第１格納部と、
前記第１格納部が格納する前記機器設定情報を所定のプロトコルにより受信した場合に前記機器設定情報を新たに生成するための生成情報を返信する通信装置に、前記所定のプロトコルにより前記組込側通信部を介して前記機器設定情報を送信するとともに、前記所定のプロトコルにより前記通信装置から前記組込側通信部を介して前記生成情報を受信する組込側プロトコル制御部と、
前記組込側通信部が受信した前記生成情報に基づいて、新たに機器設定情報を生成する設定情報生成部と、
前記設定情報生成部が新たに生成した前記機器設定情報を格納する第２格納部と
を備えたことを特徴とする情報組込み機器。
【請求項１９】
前記情報組込み機器は、さらに、
前記第１格納部が格納する前記機器設定情報を送信するべき前記通信装置を検索する装置検索部を備え、
前記組込側プロトコル制御部は、
前記装置検索部が検索した前記通信装置に、前記所定のプロトコルにより前記組込側通信部を介して前記第１格納部が格納する前記機器設定情報を送信することを特徴とする請求項１８記載の情報組込み機器。
【請求項２０】
自機器の設定に使用する機器設定情報を組み込む情報組込み機器と所定のプロトコルによって通信する通信装置において、
情報を送受信する装置側通信部と、
前記所定のプロトコルにより前記情報組込み機器から前記装置側通信部を介して前記機器設定情報を受信する装置側プロトコル制御部と、
前記装置側通信部が前記機器設定情報を受信した場合に、受信した前記機器設定情報を新たに生成するための生成情報を取得する生成情報取得部と
を備え、
前記装置側プロトコル制御部は、
前記生成情報取得部が取得した前記生成情報を、前記所定のプロトコルにより前記装置側通信部を介して前記情報組込み機器に送信することを特徴とする通信装置。
【発明の詳細な説明】
【技術分野】
【０００１】
この発明は、家電などの情報組込み機器と、ＴＶ（Ｔｅｌｅｖｉｓｉｏｎ）などの表示／入力装置とが、ネットワークで接続される構成における、情報組込み機器の初期設定方式に関する。
【背景技術】
【０００２】
従来、電子レンジやＦＡＸ（Ｆａｃｓｉｍｉｌｅ）など、家庭内で使用される電化製品（家電）のような情報組込み機器には使用者が操作するためのキーと、小さな表示部が組み込まれており、これを用いて初期設定を行っていた。このような情報組込み機器では、キーはいくつもの機能に割り当てているため、どれをどのタイミングで押せばよいのかは、分厚いマニュアルを使用する必要があり、面倒であった。また、表示部も簡易であり小型のため、出力する内容も限られ、見づらかった。また情報組込み機器としても設定用に表示部やキーを組み込む必要があるため、コストが掛かっていた。
【０００３】
このような情報組込み機器の初期設定方法の１解決方法としてビデオデッキやＤＶＤ（Ｄｉｇｉｔａｌ  Ｖｅｒｓａｔｉｌｅ  Ｄｉｓｋ）／ＨＤＤ（Ｈａｒｄ  Ｄｉｓｋ  Ｄｒｉｖｅ）レコーダで実施されているＴＶと連携した方法がある。この場合、ビデオデッキの映像信号をＴＶにつなげることにより、ＴＶの画面でビデオデッキの初期設定ができるようになっている。
【０００４】
また、このような初期設定方法の１解決方法として、図６０に示す特開２００３−３０８２６３公報の方式がある。図中、２００１は情報家電機器、２００２は情報家電機器４を制御する制御画面を表示する操作パネル、２００３は情報家電機器２００１の初期設定用情報を管理するコミュニティサーバ、２００４はコミュニティサーバ２００３との通信を行い、かつ、家庭内の情報家電機器２００１および操作パネル２００２を一元管理するホームサーバ、２００５はコミュニティサーバ２００３とホームサーバ２００４の通信を可能にするネットワークである。
【０００５】
図６０の例では、ホームサーバ２００４から情報家電機器２００１の初期設定用情報をコミュニティサーバ２００３に要求すると、コミュニティサーバ２００３は初期設定用情報を作成する。ホームサーバ２００４は、コミュニティサーバ２００３から受信した初期設定用情報を用いて情報家電機器４の初期設定を制御する。また、ホームサーバ２００４は、初期設定用情報に含まれる制御画面情報と制御情報を一元管理し、操作パネル２００２は、制御画面情報と制御情報に基づいて情報家電機器２００１を制御する制御画面を表示する。
【特許文献１】特開２００３−３０８２６３公報の方式
【発明の開示】
【発明が解決しようとする課題】
【０００６】
以上のように、従来の情報組込み機器の初期設定方式では、情報組込み機器に組み込まれているキーおよび表示部を用いて設定を行っていたため、キーには複数の役割が存在し、どの場面でどのキーを押すかはマニュアル等を参照する必要があった。また表示部に関しては簡易で小型なため、見づらく、かつ表示できる情報量が少ないため、これもマニュアル等を参照する必要があった。さらには、情報組込み機器としてキーおよび表示部を組み込む必要があり、コストがかさむ結果となっていた。
【０００７】
また、ビデオデッキの方式では、ＴＶに対し、１対１の専用の映像ケーブルをつなぐ必要があり、複数の機器では複数のケーブルが必要となり煩雑になっていた。また、機器にもリモコンが必要となっていた。
【０００８】
また、特開２００３−３０８２６３公報の方式では、ホームサーバという別の装置が必要であり、かつホームサーバは、家庭内の全ての情報組込み機器および操作パネルを把握させる必要があった。また、操作パネルへの表示もホームサーバ経由で行われるため、初期設定を行う前にまず、機器をホームサーバに認識させる手順が必要であった。
【０００９】
この発明は、上記のような問題点を解消するためになされたもので、ネットワークで構成された情報組込み機器の初期設定に対し、情報組込み機器がネットワーク上の表示／入力装置を検索し、情報組込み機器の初期設定プログラムを、情報組込み機器からＴＶなどの汎用の表示／入力装置に送信し、ＴＶ上で実行される初期設定プログラムがＴＶとそれに付属するリモコンを使って、使用者による初期設定を実現し、初期設定プログラムが初期設定情報を情報組込み機器に送信し、情報組込み機器が初期設定情報を保存することで、情報組込み機器にキーや表示部を組み込まずに使用者が簡易に初期設定をすることが可能で、かつ特殊なケーブルや専用表示入力装置、および情報組込み機器管理装置を必要としない、情報組込み機器の初期設定方式を得ることを目的とする。
【００１０】
また、この発明は、初期設定プログラムに、ＴＶなどの表示／入力装置のリモコン情報を取得する機能を備え、表示／入力装置の画面上にリモコン情報を表示し、各設定で次に押すべきキーを指示することで、使用者がより簡易に情報組込み機器の初期設定ができる情報組込み機器の初期設定方式を得ることを目的とする。
【００１１】
更に、この発明は、家庭内のネットワークをインターネットなどを経由して情報組込み機器メーカのサーバと接続し、初期設定プログラムを情報組込み機器メーカのサーバから情報組込み機器にダウンロードし、それをＴＶなどの表示／入力装置に送信することで、初期設定プログラムのバグや、新しい表示／入力装置への対応などを情報組込み機器本体の改修を行うことなく実施でき、使用者に対する初期設定方法の改善を速やかに行うことができる情報組込み機器の初期設定方式を得ることを目的とする。
【００１２】
この発明は、情報組込み機器にプログラムを格納する領域を設けずに、初期設定プログラムを情報組込み機器メーカのサーバから直接、表示／入力装置にダウンロードすることで、初期設定プログラムのバグや、新しい表示／入力装置への対応などを情報組込み機器本体の改修を行うことなく実施でき、使用者に対する初期設定方法の改善を速やかに行うことができる情報組込み機器の初期設定方式を得ることを目的とする。
【００１３】
この発明は、表示／入力装置に、不揮発性メモリを備え、この不揮発性メモリに情報組込み機器の初期設定情報を保存するようにし、この初期設定情報保持領域にデータが存在する場合は、そのデータを情報組込み機器に送信することで、一度情報組込み機器の初期設定をすると、情報組込み機器および表示／入力装置の電源がＯＦＦしても、再度設定する必要がなくなり、使用者がより簡易に情報組込み機器の初期設定が行える情報組込み機器の初期設定方式を得ることを目的とする。
【００１４】
この発明は、家庭内のネットワークと、情報組込み機器の保守担当者が駐在するコールセンタとをインターネットを介して接続し、初期設定プログラムがコールセンタと通信する機能を備え、使用者が初期設定中に不明な部分があると、使用者がコールセンタを呼び出せるようにすることで、使用者が初期設定中に保守担当者とがやりとりでき、使用者が分厚いマニュアル等を参照することなしに、より簡易に情報組込み機器の初期設定ができる情報組込み機器の初期設定方式を得ることを目的とする。
【００１５】
更に、この発明は、表示／入力装置からコールセンタに現在の情報組込み機器の初期設定情報を送信し、かつコールセンタから送信された初期設定情報を表示／入力装置が受信し、それを情報組込み機器の初期設定情報として設定することで、保守担当者自身が情報組込み機器の最新情報の参照と設定を行うことができ、使用者の手を煩わせずより簡易に情報組込み機器の初期設定ができる情報組込み機器の初期設定方式を得ることを目的とする。
【００１６】
この発明は、表示／入力装置が他の表示／入力装置の機器情報を把握し、ユーザから何らかの入力がある場合、他の表示／入力装置に初期設定中であることを示す送信を行い、ユーザから何も入力がなく、他の表示／入力装置から初期設定中であることを示す送信を受信した場合、通常の表示／入力装置の動作に戻るようにしたので、複数の表示／入力装置が存在する場合に、使用者は一番使いやすい表示／入力装置を使って初期設定ができ、使用者がより簡易に初期設定ができる情報組込み機器の初期設定方式を得ることを目的とする。
【００１７】
この発明は、表示／入力装置に複数の情報組込み機器の初期設定プログラムを保持する領域を設け、各初期設定プログラムに、対応する情報組込み機器の機器情報を保持する機能情報領域を設け、使用者からの指示により、表示／入力装置が機能情報領域を使って各初期設定プログラムを選択して起動することで、初期設定済みの情報組込み機器に対しても、使用者が任意に情報組込み機器の初期設定ができる、情報組込み機器の初期設定方式を得ることを目的とする。
【００１８】
この発明は、情報組込み機器と表示／入力装置間で、初期設定処理のやり取りを処理するプロトコル制御手段を設け、表示／入力装置の画面作成および、入力情報の解釈を情報組込み機器側で行うようにすることで、表示／入力装置で情報組込み機器特有のプログラムを実行する必要のない、つまり表示／入力装置で情報組込み機器固有の処理を行う必要のない、情報組込み機器の初期設定方式を得ることを目的とする。
【００１９】
この発明は、ＴＶのアンテナ入力部を表示／入力装置の映像出力部に接続し、ＴＶのリモコン受光部を表示／入力装置の赤外線送信部に接続し、表示／入力装置にアンテナを接続し、かつＴＶのリモコンを接続し、表示／入力装置からＴＶに対しリモコン操作と映像／音声出力を操作することで、既存のＴＶでも情報組込み機器の初期設定ができる情報組込み機器の初期設定方式を得ることを目的とする。
【課題を解決するための手段】
【００２０】
本発明の情報組込み機器は、
自機器の設定に使用する機器設定情報を組み込む情報組込み機器において、
前記機器設定情報を生成する設定生成プログラムを格納する組込側プログラム格納部と、
前記設定生成プログラムを実行することにより前記機器設定情報を生成し生成した前記機器設定情報を送信する情報生成装置に、前記設定生成プログラムを送信するプログラム送信部と、
前記プログラム送信部の送信した前記設定生成プログラムを受信した前記情報生成装置が前記設定生成プログラムに基づいて生成した前記機器設定情報を前記情報生成装置から受信する組込側通信部と、
前記組込側通信部が受信した前記機器設定情報を格納する設定情報格納部と
を備えたことを特徴とする。
【発明の効果】
【００２１】
本発明により、ユーザが簡易かつ容易に初期設定を行ない得る情報組込み機器を提供することができる。
【発明を実施するための最良の形態】
【００２２】
実施の形態１．
以下、図１〜図１２を用いて実施の形態１を説明する。
図１は、本実施の形態１による家庭内における情報組込み機器および表示／入力装置（情報生成装置の一例）の全体構成図である。図１に示すように、ネットワーク１３０である家庭内ＬＡＮ（Ｌｏｃａｌ  Ａｒｅａ  Ｎｅｔｗｏｒｋ）によって、情報組込み機器１１０，１１１，１１２と表示／入力装置１２０とが通信可能に接続されている。図において、「情報組込み機器１１０，１１１，１１２」とは、例えば、自機器の設定に使用する機器設定情報を組み込む電子レンジ、冷蔵庫、ＤＶＤ（Ｄｉｇｉｔａｌ  Ｖｅｒｓａｔｉｌｅ  Ｄｉｓｋ）／ＨＤＤ（Ｈａｒｄ  Ｄｉｓｋ  Ｄｒｉｖｅ）レコーダなどの家庭用電化製品を想定する。例えば情報組込み機器１１０は電子レンジ、情報組込み機器１１１は冷蔵庫、情報組込み機器１１２は、ビデオデッキである。また、「表示／入力装置１２０」とは、表示する機能とリモコン（入力装置の一例）など入力する機能とを備えた装置を想定する。以下の実施の形態では、後述する図５に示すＴＶチューナを備えたＰＣ（Ｐｅｒｓｏｎｓｌ  Ｃｏｍｐｕｔｅｒ）を想定する。また、ネットワーク１３０は、情報組込み機器１１０，１１１，１１２および表示／入力装置１２０を互いに接続するが、有線方式でも、無線ＬＡＮなどの無線方式のどちらでも構わない。ネットワーク１３０により、情報組込み機器１１０等と表示／入力装置１２０との間でデータのやり取りができればよい。
【００２３】
以下の実施の形態では、設定情報（機器設定情報）の一例として「初期設定情報」を例に説明しているが、これに限定するものではない。情報組込み機器の機能を設定する情報であればよい。なお、以下で説明する「初期設定情報」とは、例えば、厳密な「初期設定情報」ではなく、ユーザによって運用時にも変更ができる情報で、かつ機器を購入した時に最初に設定するという情報を「初期設定情報」として想定している。
【００２４】
次に、図２を用いて、本実施の形態１の概要を説明する。なお、図２に示すＳ（ステップ）１０５などのステップ番号は後述する図１０のステップ番号である。
（１）例えば、図１の情報組込み機器１１０は、ブロードキャスト送信により「機能情報要求」（図１０で後述する）を送信し表示／入力装置１２０を検索する（Ｓ１０４）。
（２）表示／入力装置１２０は、「機能情報要求」への応答を送信する（Ｓ１０４）
（３）情報組込み機器１１０は、検索した表示／入力装置１２０に初期設定プログラムを送信する（Ｓ１０５）。
（４）表示／入力装置１２０の側では、初期設定プログラムを受信し、受信した初期設定プログラムを起動することにより情報組込み機器１１０の初期設定のための初期設定情報を生成する。そして、生成した初期設定情報（付随データ）をコマンドとともに情報組込み機器１１０に返信する（Ｓ１０６）。
以上の過程により、情報組込み機器１１０は、自己の初期設定情報を取得することができる。本実施の形態１は、情報組込み機器１１０自身がネットワーク１３０に接続している表示／入力装置１２０を検索し、表示／入力装置１２０において初期設定情報を作成することに特徴がある。情報組込み機器１１１、１１２についても動作は情報組込み機器１１０と同じである。
【００２５】
図３は、情報組込み機器１１０の一例であるＤＶＤ／ＨＤＤレコーダ１１５の外観の具体例を示す図である。図３では、ＤＶＤ／ＨＤＤレコーダ１１５は、ネットワーク１３０を介して表示／入力装置１２０に接続している。なお図３、図４では情報組込み機器１１０の例としてＤＶＤ／ＨＤＤレコーダ１１５を説明しているが、他の情報組込み機器についても構成は同じである。
【００２６】
図４は、ＤＶＤ／ＨＤＤレコーダ１１５のハードウェア構成のうち、表示／入力装置１２０とのやりとりに関係するハードウェア構成の概要を示す図である。図４において、ＤＶＤ／ＨＤＤレコーダ１１５は、プログラムを実行するＣＰＵ（Ｃｅｎｔｒａｌ  Ｐｒｏｃｅｓｓｉｎｇ  Ｕｎｉｔ）８０を備えている。ＣＰＵ８０は、バス８１を介してファームウェアを記憶するＲＯＭ８２、通信ボード８３、不揮発性メモリ９０と接続されている。ＤＶＤ／ＨＤＤレコーダ１１５は、通信ボード８３を介して表示／入力装置１２０と通信する。不揮発性メモリ９０には、ファイル群９１、プログラム群９３が記憶されている。プログラム群９３は、ＣＰＵ８０により実行される。また、プログラム群９３には、表示／入力装置１２０へ送信するべき初期設定プログラム１１が格納されている。
【００２７】
情報組込み機器１１０における上記プログラム群９３には、初期設定プログラム１１の他に、以下に述べる実施の形態の説明において、情報組込み機器１１０等について「〜部」として説明する機能を実行するためのプログラムが記憶されている。プログラムは、ＣＰＵ８０により読み出され実行される。
【００２８】
また、以下に述べる実施の形態の説明において、情報組込み機器１１０等について「〜部」として説明するものは、ＲＯＭ８２に記憶されたファームウェアで実現されても構わない。或いは、ソフトウェアのみ、或いは、ハードウェアのみ、或いは、ソフトウェアとハードウェアとの組み合わせ、さらには、ファームウェアとの組み合わせで実現されても構わない。
【００２９】
図５は、ＴＶチューナを備えたＰＣを例とした表示／入力装置１２０の外観の一例を示す図である。図５において、ＴＶチューナを備えたＰＣである表示／入力装置１２０は、システムユニット１４０、ＣＲＴ（Ｃａｔｈｏｄｅ  Ｒａｙ  Ｔｕｂｅ）表示装置１５０、キーボード（Ｋ／Ｂ）１６１、マウス１６２、コンパクトディスク装置（ＣＤＤ）１６３、及びリモコン１７０を備えている。なお、図６にリモコン１７０の外観を示した。
【００３０】
システムユニット１４０は、ネットワーク１３０を介して情報組込み機器１１０等と接続するとともに、インターネット３０１とも接続している。また、システムユニット１４０は、ＦＤＤ（Ｆｌｅｘｉｂｌｅ  Ｄｉｓｋ  Ｄｒｉｖｅ）１４７を備える。
【００３１】
ＣＲＴ表示装置１５０には、リモコン１７０の情報を受信するリモコン受信部１５１、ユーザの画像を取得するカメラ１５２、及びユーザの音声を取得するマイク１５３が組み込まれている。リモコン１７０からの情報、カメラ１５２からの画像、マイク１５３からの音声等は、システムユニット１４０が処理を行なう。
【００３２】
図７は、図５に示した表示／入力装置１２０のハードウェア構成図である。図７において、表示／入力装置１２０は、プログラムを実行するＣＰＵ１４１を備えている。ＣＰＵ１４１は、バス１４２を介してＲＯＭ１４３、ＲＡＭ１４４、ＣＲＴ表示装置１５０、Ｋ／Ｂ１６１、マウス１６２、通信ボード１４５、ＴＶチューナ１４６、ＦＤＤ１４７、ＣＤＤ１６３、磁気ディスク装置１８０と接続されている。
【００３３】
磁気ディスク装置１８０には、オペレーティングシステム（ＯＳ）１８１、ウィンドウシステム１８２、プログラム群１８３、ファイル群１８４が記憶されている。プログラム群１８３は、ＣＰＵ１４１、ＯＳ１８１、ウィンドウシステム１８２により実行される。
【００３４】
上記プログラム群１８３には、情報組込み機器１１０から受信する後述の初期設定プログラム１１ａが記憶される。また、上記プログラム群１８３には、以下に述べる実施の形態の説明において、表示／入力装置１２０等について「〜部」として説明する機能を実行するプログラムが記憶されている。プログラムは、ＣＰＵ１４１により読み出され実行される。
【００３５】
また、以下に述べる実施の形態の説明において、表示／入力装置１２０等につて「〜部」として説明するものは、ＲＯＭ１４３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００３６】
図８は、情報組込み機器１１０の内部構成図である。情報組込み機器１１０は、組込側機器制御部４と、初期設定部５（組込側設定部）と、プログラム送信部６と、表示／入力装置検索部７（装置検索部）と、組込側通信部８と、設定情報格納部９と、組込側プログラム格納部１０とを備える。設定情報格納部９は、初期設定情報を保持する設定情報領域１９を備える。また、組込側プログラム格納部１０は、初期設定プログラム１１（設定生成プログラムの一例）を格納する。初期設定プログラム１１は、「設定制御手段１２」、「入力操作手段１３」、「表示操作手段１４」、「データ領域１５」から成る。ここで「データ領域１５」は、例えば、初期設定情報のデフォルト値が格納されている。後述のように、表示／入力装置１２０は、このデフォルト値を用いて図１２に示す画面を表示する。
【００３７】
（１）組込側機器制御部４は、電源のＯＮ／ＯＦＦを管理し、情報組込み機器本来の動作と、初期設定動作を制御する。
（２）初期設定部５は、初期設定の処理を行う。
（３）プログラム送信部６は、情報組込み機器１１０内にある初期設定プログラム１１を表示／入力装置１２０に送信する。
（４）表示／入力装置検索部７は、ネットワーク１３０に接続する表示／入力装置１２０を検索する。
（５）組込側通信部８は、ネットワーク１３０におけるデータ通信を行う。
（６）設定情報格納部９は、設定情報領域１９に情報組込み機器１１０の初期設定情報を格納する。
【００３８】
組込側プログラム格納部１０は、表示／入力装置１２０に送信する初期設定プログラム１１を格納する。この初期設定プログラム１１には、表示／入力装置１２０上で初期設定の制御を行う「設定制御手段１２」、表示／入力装置１２０の入力部２１を操作する「入力操作手段１３」、表示／入力装置１２０の表示部２２を操作する「表示操作手段１４」が組み込まれている。この初期設定プログラム１１は、表示／入力装置１２０上で動作する。具体的には、表示／入力装置１２０に初期設定プログラムが読み込まれることにより、コンピュータである表示／入力装置１２０が、「設定制御手段１２」、「入力操作手段１３」、「表示操作手段１４」として機能することを意味する。初期設定プログラム１１は、表示／入力装置１２０に読み込まれることにより、表示／入力装置１２０に「設定制御手段１２」、「入力操作手段１３」、「表示操作手段１４」に相当する処理を実行させる。このように、初期設定プログラムについて「〜手段」とあるのは、表示／入力装置に「〜処理」を実行させることにより、表示／入力装置を「〜手段」として機能させることを意味する。例えば、「設定制御手段１２」とは、表示／入力装置に、「設定制御処理」を実行させることにより表示／入力装置を「設定制御手段」として機能させる。以下実施の形態２〜実施の形態９、及び実施の形態１１についても同様である（実施の形態１０を除くのは、初期設定プログラムによらないプロトコルによる実施形態のためである）。
【００３９】
図９は、表示／入力装置１２０の内部構成図である。表示／入力装置１２０は、装置側機器制御部２０（装置側制御部）と、入力部２１と、表示部２２と、装置側プログラム受信部２３と、装置側通信部２４と、装置側プログラム格納部２５とを備える。各構成要素は以下の機能を有する。
（１）装置側機器制御部２０は、電源のＯＮ／ＯＦＦを管理し、表示／入力装置としての本来の動作と、情報組込み機器１１０からの初期設定処理の動作を制御する。
（２）入力部２１は、表示／入力装置１２０の入力処理を行う。
（３）表示部２２は、表示／入力装置１２０の表示処理を行う。画像を表示する表示回路及びＣＲＴ表示装置などの表示装置とを含む。
（４）装置側プログラム受信部２３は、情報組込み機器１１０から初期設定プログラム１１を受信する。
（５）装置側通信部２４は、ネットワーク１３０上でのデータ通信を行う。
（６）装置側プログラム格納部２５は、情報組込み機器１１０が送信する初期設定プログラム１１を格納する。
【００４０】
情報組込み機器１１０内から表示／入力装置１２０に初期設定プログラム１１が送信されると、表示／入力装置１２０の装置側プログラム格納部２５内に、初期設定プログラム１１ａとして格納される。本実施の形態では、ＴＶチューナ付きＰＣとした場合の例としている。表示をＴＶ画面（例えば図５のＣＲＴ表示装置１５０）、入力をリモコン（入力装置の一例、例えば図５のリモコン１７０）と想定して説明する。しかし、これに限定するものではない。使用者に現在の初期設定情報を伝える手段と使用者からの設定情報を入力する手段がある装置であればよい。パーソナルコンピュータなどでも代替できる。また使用者に現在の初期設定情報を伝える手段として、画面の代わりにＴＶスピーカによる音声で伝達してもよい。また、使用者からの設定情報を入力する手段として、リモコンの代わりに、タッチパネルや音声入力、キーボード入力（これらは入力装置の一例）などでも代用可能である。
【００４１】
次に、この実施の形態１における情報組込み機器１１０の動作を図１０を用いて説明する。
（１）情報組込み機器１１０に電源が入ると、まず組込側機器制御部４が動作し、組込側機器制御部４は設定情報領域の内容が設定されていないかチェックする（Ｓ１０１）。
（２）設定情報領域１９に設定情報（機器設定情報の一例）が格納されていた場合（Ｓ１０１でのＮＯの場合）、初期設定済みであるので、通常の情報組込み機器としての動作を実行する（Ｓ１０２）。
（３）そして、電源ＯＦＦボタンをチェックし（Ｓ１０３）、押されていれば情報組込み機器としての動作を終了し（Ｓ１０３のＹＥＳの動作）、押されなければ、そのまま情報組込み機器としての動作を継続する（Ｓ１０３のＮＯの動作）。
【００４２】
（１）Ｓ１０１にて、設定情報領域１９に設定情報が格納されていなかった場合（Ｓ１０１のＹＥＳの動作）、組込側機器制御部４は、初期設定部５に制御を移す。
（２）初期設定部５は、まず表示／入力装置検索部７を使って、ネットワーク１３０上に接続されている表示／入力装置１２０を検索する（Ｓ１０４）。
（３）この時、表示／入力装置検索部７は、組込側通信部８を使って、ネットワーク上に存在する装置に対し、「機能情報要求」を送信する（ＴＣＰ／ＩＰであればブロードキャスト送信になる）。表示／入力装置１２０はその要求に対し、自身が表示／入力装置であることと、自身のネットワーク上の識別子（ＴＣＰ／ＩＰであればＩＰアドレス）を表示／入力装置検索部７に送信する。
（４）表示／入力装置検索部７は、応対した表示／入力装置１２０の情報を初期設定部５に伝達する。
【００４３】
（５）Ｓ１０４によってネットワーク１３０上に接続されている表示／入力装置１２０が判明すると、初期設定部５は、プログラム送信部６に指示し、組込側通信部８を用いて組込側プログラム格納部１０にある初期設定プログラム１１を表示／入力装置１２０に送信する（Ｓ１０５）。
（６）初期設定プログラム１１が表示／入力装置１２０に送信されると、表示／入力装置１２０では初期設定プログラム１１ａが起動され、初期設定処理が実施される。
（７）その後、初期設定部５は、表示／入力装置１２０から送られてくる、コマンドおよび付随データ（設定情報）を受信する（Ｓ１０６）。
（８）次に初期設定部５はコマンドが終了コマンドか否かをチェックする（Ｓ１０７）。
（９）終了コマンドでない（Ｓ１０７のＮＯ）場合は設定コマンドであり、付随するデータが設定データ（設定情報）であるので、初期設定部５は、設定データを設定情報領域１９に設定し（Ｓ１０８）、Ｓ１０６に戻って、次のコマンドを受信する。
（１０）Ｓ１０７にて、コマンドが終了コマンドである（Ｓ１０７のＹＥＳ）場合、初期設定部５は処理を終了し、組込側機器制御部４に制御が戻り、通常の情報組込み機器としての動作を実行する（Ｓ１０２）。
（１１）そして、組込側機器制御部４は電源ＯＦＦボタンをチェックし（Ｓ１０３）、押されていれば情報組込み機器としての動作を終了し（Ｓ１０３のＹＥＳの動作）、押されなければ、そのまま情報組込み機器としての動作を継続する（Ｓ１０３のＮＯの動作）。
（１２）以上が情報組込み機器１１０の動作である。
【００４４】
次に、この実施の形態１における表示／入力装置１２０の動作を図１１、および図１２を用いて説明する。
（１）表示／入力装置１２０に電源が入ると、まず装置側機器制御部２０が動作し、装置側機器制御部２０が通常の表示／入力装置としての動作を実行する（Ｓ１１１）。
（２）そして、装置側機器制御部２０は、情報組込み機器から「機能情報要求」が来ているかチェックする（Ｓ１１２）。
（３）通常動作状態から、「機能情報要求」が来ているかをチェックするタイミングとしては、一定時間毎に「機能情報要求」が来ているかチェックするポーリング方式でもよいし、ネットワーク１３０を介して送られてくる「機能情報要求」をＨ／Ｗ割込みにより検知して装置側通信部２４から装置側機器制御部２０にＳ／Ｗ割込みを発行する割込み方式でも良い。
（４）「機能情報要求」が来ていない場合（Ｓ１１２のＮＯ）、装置側機器制御部２０は、次に電源ボタンが押されたかチェックする（Ｓ１１３）。
（５）このチェックタイミングもＳ１１２で述べたようにポーリング／割込み方式どちらでも構わない。
（６）電源ボタンが押されている場合（Ｓ１１３のＹＥＳ）、表示／入力装置１２０は終了し、電源ボタンが押されていない場合（Ｓ１１３のＮＯ）、再度Ｓ１１１に戻って、通常の表示／入力装置としての動作を継続する。
【００４５】
（７）Ｓ１１２にて、「機能情報要求」が来ている場合（Ｓ１１２のＹＥＳ）、装置側機器制御部２０は、装置側通信部２４を使って情報組込み機器１１０に対し、表示／入力装置１２０であることと、自身の識別子を情報組込み機器１１０に送信する（Ｓ１１４）。
（８）情報組込み機器１１０の識別子は（ＴＣＰ／ＩＰであればＩＰアドレス）、「機能情報要求」の時に一緒に送られてくる。また、自身の識別子はＴＣＰ／ＩＰであればＩＰアドレスのようなものになる。
（９）次に、装置側機器制御部２０は、装置側プログラム受信部２３を使って、情報組込み機器１１０から送信される初期設定プログラム１１を受信する（Ｓ１１５）。
（１０）この時、装置側プログラム受信部２３は、装置側通信部２４を使って初期設定プログラム１１を受信し、装置側プログラム格納部２５に初期設定プログラム１１ａとして格納する。
（１１）その後、装置側機器制御部２０は、装置側プログラム格納部２５に格納された初期設定プログラム１１ａを起動する（Ｓ１１６）。
（１２）これにより初期設定プログラム１１ａに制御が移る。
【００４６】
（１３）初期設定プログラム１１ａが起動すると、設定制御手段１２ａが動作する。
（１４）設定制御手段１２ａは、まず、表示操作手段１４ａを使って「現在の設定情報」を表示／入力装置１２０の画面（入力画面の一例）に表示する（Ｓ１１７）。図８で示したように「現在の設定情報」は情報組込み機器１１０の格納する初期設定プログラムに「デフォルト」として格納されている。
（１５）最初の画面では図１２に示すような各設定に対するデフォルト値が表示される。この画面は、例えば表示部２２の一部である図５のＣＲＴ表示装置１５０に表示される。
（１６）図１２の例では、表示／入力装置１２０の画面３０に、初期設定プログラム１１ａによる表示画面３１が表示される。この例では、情報組込み機器１１０を電子レンジとした場合を示しており、現在時刻や暖め時間、解凍モードなどが初期設定項目として表示される。
（１７）表示操作手段１４ａは表示部２２を使って、この画面を表示／入力装置１２０の画面（ＣＲＴ表示装置１５０）に表示する。
（１８）次に設定制御手段１２ａは入力操作手段１３ａを使って、使用者からの設定情報（生成情報の一例）を取得する（Ｓ１１８）。
（１９）この時、入力操作手段１３ａは入力部２１を使って、表示／入力装置１２０の「入力装置」（例えば図５のリモコン１７０）から送られてくるキー情報等を判断し、それが表示／入力装置１２０で表示している画面のどの部分を変更する指示なのか、または設定操作を終了したいという指示なのかを判断し、設定情報とする。この設定情報は画面に表示され、使用者は自分の入力した設定値（入力結果）を確認することができる。
（２０）使用者からの「設定情報」を取得すると、設定制御手段１２ａは、その「設定情報」が終了を指示するものか判断する（Ｓ１１９）。
（２１）「設定情報」が終了を意味するものでない場合（Ｓ１１９のＮＯ）、設定制御手段１２ａは、装置側通信部２４を使い、情報組込み機器１１０に設定変更コマンドとともに変更する情報を送信する（Ｓ１２０）。
（２２）そして、Ｓ１１７に戻り、再度、表示操作手段１４ａを使って、更新された現在の設定情報を画面に表示する。
（２３）Ｓ１１７からＳ１２０の繰り返しにより、使用者は情報組込み機器１１０の初期設定を順に実施していく。
【００４７】
（２４）Ｓ１１９にて、「設定情報」が終了を意味するものである場合（Ｓ１１９のＹＥＳ）、設定制御手段１２ａは、装置側通信部２４を使い、情報組込み機器１１０に終了コマンドを送信する（Ｓ１２１）。
（２５）そして、設定制御手段１２ａは、画面を初期設定プログラム１１ａが動作する前に戻し、初期設定プログラム１１ａの動作を終了する（Ｓ１２２）。これにより装置側機器制御部２０に制御が戻る。
【００４８】
（２６）装置側機器制御部２０に制御が戻ると、装置側機器制御部２０は表示／入力装置１２０の電源ボタンが押されたかチェックする（Ｓ１１３）。
（２７）電源ボタンが押されている場合（Ｓ１１３のＹＥＳ）、表示／入力装置１２０は終了し、電源ボタンが押されていない場合（Ｓ１１３のＮＯ）、Ｓ１１１に戻って、通常の表示／入力装置としての動作を継続する。
（２８）以上が、表示／入力装置１２０の動作である。
【００４９】
この実施の形態１による情報組込み機器の初期設定方式では、情報組込み機器の初期設定プログラムをネットワークを介して、情報組込み機器からＴＶなどの汎用の表示／入力装置に送信し、ＴＶ上で実行される初期設定プログラムがＴＶとそれに付属するリモコンを使って、使用者による初期設定を実現し、初期設定プログラムが初期設定情報を情報組込み機器に送信し、情報組込み機器が初期設定情報を保存するようにしたので、使用者がＴＶなどの大画面を見ながら、キーの多いＴＶのリモコンを使って操作ができ、使用者が簡易に情報組込み機器の初期設定ができる情報組込み機器の初期設定方式を得ることができる。
【００５０】
また、情報組込み機器の操作をＴＶなどの表示／入力装置で行えるようにしたので、情報組込み機器にキーや表示を組み込むことを必要としない、情報組込み機器の初期設定方式を得ることができる。
【００５１】
また、情報組込み機器と表示／入力装置をネットワークを介して情報交換するようにしたので、映像ケーブルなどの特殊なケーブルや専用の表示／入力装置を必要とせず、かつ情報組込み機器や表示／入力装置を管理する装置を必要としない、情報組込み機器の初期設定方式を得ることができる。
【００５２】
なお、本実施の形態１では、使用者が表示画面の設定を変更する毎に、情報組込み機器の設定変更コマンドを送信するようにしているが、これを、終了時に、設定情報をまとめて送信するようにしても、同様な情報組込み機器の初期設定方式を得ることができる。
【００５３】
また、本実施の形態１では、表示の手段としてＴＶの画面を、入力の手段としてリモコンのキーを想定しているが、表示／入力装置としては、使用者に現在の初期設定情報を伝える手段と、使用者からの設定情報を入力する手段がある装置であればよく、初期設定情報を伝える手段としては、ＴＶスピーカによる音声での伝達や、点字による指先への伝達、設定情報を入力する手段としては、タッチパネルやキーボード入力、音声入力などでも代用可能である。また、本実施の形態では、ＴＶを想定していたが、表示／入力装置として、使用者に現在の初期設定情報を伝える手段と、使用者からの設定情報を入力する手段がある装置であればよく、パソコンや、ＰＤＡなどでも、同様な情報組込み機器の初期設定方式を得ることができる。また、本実施の形態では、表示／入力装置としてＰＣを想定しているが、情報組込み機器のプログラムをネットワークを介してロード/起動し、ユーザへの入力／表示ができればよく、このような機能を備えたＴＶ／モニタでも同様な初期設定方式を得ることができる。
【００５４】
実施の形態２．
次に図１３〜図１６を用いて実施の形態２における情報組込み機器の初期設定方式について説明する。実施の形態２では、家庭内の情報組込み機器および表示／入力装置の全体構成は、実施の形態１の、図１と同じである。
【００５５】
実施の形態２は、使用者がリモコンを使用して操作をする場合に、表示画面、例えばＣＲＴ表示装置１５０に、リモコンの操作手順を表示する実施形態である。使用者は、画面に表示されたリモコンの操作手順に従ってリモコンを操作することで、容易に初期設定を行なうことが可能となる。
【００５６】
図１３は、実施の形態２における情報組込み機器２１０の内部構成図である。情報組込み機器２１０の内部構成は、初期設定プログラム１１内に、表示／入力装置２２０についての後述の「リモコン情報」（入力装置制御情報の一例）を取得するためのリモコン情報取得手段２００が追加された以外は、実施の形態１と同じである。
【００５７】
同様に、図１４に示される、表示／入力装置２２０の内部構成図も、初期設定プログラム１１ａに、リモコン情報取得手段２００ａが追加された以外は、実施の形態１と同じである。
【００５８】
次に、この実施の形態２における表示／入力装置２２０の動作を図１５、および図１６を用いて説明する。図１５は、表示／入力装置２２０の動作を示すフローチャートであり、図１１に対してＳ２０７、Ｓ２０９が追加されたものとなっており、これらが特徴である。その他のステップは、図１１の場合と同様である。
（１）表示／入力装置２２０に電源が入ると、まず装置側機器制御部２０が動作し、通常の表示／入力装置としての動作を実行する（Ｓ２０１）。
（２）そして、情報組込み機器２１０から「機能情報要求」が来ているかチェックする（Ｓ２０２）。
（３）「機能情報要求」が来ていない場合（Ｓ２０２のＮＯ）、次に電源ボタンが押されたかチェックする（Ｓ２０３）。
（４）電源ボタンが押されている場合（Ｓ２０３のＹＥＳ）、表示／入力装置２２０は終了し、電源ボタンが押されていない場合（Ｓ２０３のＮＯ）、再度Ｓ２０１に戻って、通常の表示／入力装置としての動作を継続する。
【００５９】
（５）Ｓ２０２にて、「機能情報要求」が来ている場合（Ｓ２０２のＹＥＳ）、装置側機器制御部２０は、装置側通信部２４を使って情報組込み機器２１０に対し、表示／入力装置であることと、自身の識別子を情報組込み機器２１０に送信する（Ｓ２０４）。
（６）次に、装置側機器制御部２０は、装置側プログラム受信部２３を使って、情報組込み機器２１０から送信される初期設定プログラム１１を受信する（Ｓ２０５）。
（７）この時、装置側プログラム受信部２３は、装置側通信部２４を使って初期設定プログラム１１を受信し、装置側プログラム格納部２５に初期設定プログラム１１ａとして格納する。
（８）その後、装置側機器制御部２０は装置側プログラム格納部２５に格納された初期設定プログラム１１ａを起動する（Ｓ２０６）。これにより初期設定プログラムに制御が移る。
【００６０】
（９）初期設定プログラム１１ａが起動すると、設定制御手段１２ａが動作する。次の（１０）〜（１８）が特徴的な動作である。
（１０）設定制御手段１２ａは、まず、リモコン情報取得手段２００ａを使って、表示／入力装置２２０のリモコン情報を取得する（Ｓ２０７）。
（１１）リモコン情報取得手段２００ａは、表示／入力装置２２０の入力部２１が備えるリモコン情報記憶部２４１に格納されているリモコン情報を取得する。ここで「リモコン情報」とは、使用者が使用しているリモコンについて、使用者自身が次にリモコンをどのように操作すればよいか、例えばリモコンのどのボタンを押せばいいか等の、リモコン（入力装置）の操作手順を示すために必要な情報であり、以下の（ａ）〜（ｃ）のような情報を有する。
（ａ）リモコンの形状の情報である。表示／入力装置２２０のリモコン表示部２３０（後述の図１６）に表示し、使用者がその表示を自分が使用しているリモコンと認識できるようにする（リモコンそのものの画像でもよい）。
（ｂ）リモコンの各キーの位置を示す情報である。リモコン表示部２３０の各キー（図１６キー表示２３２、２３３）の表示位置を決定する。次にどこを押すべきか（操作手順）を表示する際に、キーを色反転するなどの処理のために必要となる。
（ｃ）リモコン内の各キーの意味を示す情報である。数字キーか決定キーかなどを示す。初期設定プログラム１１が、使用者にどのキーを選択させるかべきかを判断するために使用する。
（１２）次に、設定制御手段１２ａは、表示操作手段１４ａを使って現在の設定情報を表示／入力装置２２０の画面に表示する（Ｓ２０８）。
（１３）これにより、表示／入力装置２２０の画面には、図１６に示すような画面のうち、各設定に対するデフォルト値を表示する表示画面３１が示される。
（１４）表示操作手段１４ａは表示部２２を使って、この画面を表示／入力装置２２０の画面（例えばＣＲＴ表示装置１５０）に表示する。
（１５）次に設定制御手段１２ａは表示操作手段１４ａを使って、図１６のリモコン表示部２３０に示すようなリモコンの様子を模擬した画像を表示する（Ｓ２０９）。
（１６）これはＳ２０７で取得した「リモコン情報」を元に、表示／入力装置２２０のリモコンがどのようになっているかを判断し、図１６のキー表示２３２、２３３に示すような、次に押すべきキーを色付けして表示する。
（１７）これにより、使用者は情報組込み機器２１０の初期設定において、次に何を押すべきかを容易に判断することができる。
（１８）Ｓ２０８の時と同様に、表示操作手段１４ａは表示部２２を使って、この画面を表示／入力装置２２０の画面に表示する。
（１９）次に設定制御手段１２ａは入力操作手段１３ａを使って、使用者からの「設定情報」を取得する（Ｓ２１０）。
（２０）使用者からの「設定情報」を取得すると、設定制御手段１２ａは、その設定情報が終了を指示するものか判断する（Ｓ２１１）。
（２１）「設定情報」が終了を意味するものでない場合（Ｓ２１１のＮＯ）、設定制御手段１２ａは、装置側通信部２４を使い、情報組込み機器２１０に設定変更コマンドとともに変更する情報を送信する（Ｓ２１２）。
（２２）そして、Ｓ２０８に戻り再度、表示操作手段１４ａを使って、「設定情報」が更新された現在の「設定情報」を画面に表示する（Ｓ２０８）とともに、次に押すべきリモコンのキーを色づけしたリモコンの絵を表示する（Ｓ２０９）。
（２３）Ｓ２０８からＳ２１２の繰り返しにより、使用者は情報組込み機器２１０の初期設定を順に実施していく。
【００６１】
（２４）Ｓ２１１にて、設定情報が終了を意味するものである場合（Ｓ２１１のＹＥＳ）、設定制御手段１２ａは、装置側通信部２４を使い、情報組込み機器２１０コマンドを送信する（Ｓ２１３）。
（２５）そして、設定制御手段１２ａは、画面を初期設定プログラム１１ａが動作する前に戻し、初期設定プログラム１１ａの動作を終了する（Ｓ２１４）。
（２６）これにより装置側機器制御部２０に制御が戻る。
【００６２】
（２７）装置側機器制御部２０に制御が戻ると、装置側機器制御部２０は表示／入力装置２２０の電源ボタンが押されたかチェックする（Ｓ２０３）。
（２８）電源ボタンが押されている場合（Ｓ２０３のＹＥＳ）、表示／入力装置２２０は終了し、電源ボタンが押されていない場合（Ｓ２０３のＮＯ）、Ｓ２０１に戻って、通常の表示／入力装置２２０としての動作を継続する。
（２９）以上が、表示／入力装置２２０の動作である。
【００６３】
この実施の形態２による情報組込み機器の初期設定方式では、初期設定プログラムに、ＴＶなどの表示／入力装置の「リモコン情報」を取得する機能を備え、表示／入力装置の画面上にリモコン情報を表示し、各設定で次に押すべきキーを指示するようにしたので、使用者がより簡易に情報組込み機器の初期設定ができる情報組込み機器の初期設定方式を得ることができる。
【００６４】
なお、本実施の形態では、表示／入力装置の画面で使用者にリモコンの情報を伝達したが、これを、音声による伝達に変えても同様な情報組込み機器の初期設定方式を得ることができる。また、リモコンではなく、使用者の音声による入力でも同様である。
【００６５】
実施の形態３．
次に図１７〜図２２を使用して実施の形態３を説明する。実施の形態３は、情報組込み機器３１０等が、プログラムを配信する情報組込み機器メーカサーバ３０２（配信サーバ）から初期設定プログラム１１の配信を受ける。そして、配信を受けた初期設定プログラム１１を表示／入力装置１２０に送信する実施形態である。情報組込み機器３１０から表示／入力装置１２０へ初期設定プログラム１１を送信した後は、実施の形態１と同様である。
【００６６】
実施形態３における情報組込み機器の初期設定方式について説明する。図１７は、本実施の形態３における初期設定方式の全体構成図である。本実施の形態３では、実施の形態１に対し、家庭内のネットワーク１３０からインターネット３０１へ接続するためのブロードバンドルータ３００と、インターネット３０１に接続されており、情報組込み機器３１０の初期設定プログラムを格納している情報組込み機器メーカサーバ３０２が追加される。その他の構成は実施の形態１と同じ構成である。
【００６７】
図１８は、本実施の形態３の特徴を説明する図である。情報組込み機器３１０は、情報組込み機器メーカサーバ３０２から初期設定プログラム１１の配信を受ける。そして、配信を受けた初期設定プログラム１１を表示／入力装置１２０に送信する。その後の表示／入力装置１２０の動作は、実施の形態１と同様である。
【００６８】
図１９は、情報組込み機器３１０が情報組込み機器メーカサーバ３０２から初期設定プログラム１１の配信を受けるシーケンスを示す図である。
（１）まず、情報組込み機器３１０は、情報組込み機器メーカサーバ３０２にプログラム送信を要求する。この要求には、自己の機器ＩＤも送信する。
（２）情報組込み機器メーカサーバ３０２は、要求に係る機器ＩＤから、情報組込み機器３１０に送信するべき初期設定プログラム１１を検索し、検索した初期設定プログラム１１を情報組込み機器３１０に送信する。
（３）情報組込み機器３１０では、初期設定プログラム１１を受信すると組込側プログラム格納部１０に格納する。
（４）この後の情報組込み機器３１０と表示／入力装置１２０とのやりとりは、実施の形態１と同様である。
【００６９】
図２０は、情報組込み機器３１０の内部構成図である。実施の形態３の情報組込み機器３１０の内部構成では、実施の形態１に比べ、初期設定プログラム１１が、当初は組込側プログラム格納部１０には格納されていない。情報組込み機器メーカサーバ３０２から初期設定プログラム１１ａ（情報組込み機器メーカサーバ３０２から受信したため「１１ａ」とした。）が供給される。この供給をうけるため、情報組込み機器メーカサーバ３０２から初期設定プログラム１１ａを受信するための組込側プログラム受信部３０３が追加される。その他の構成は、実施の形態１と同じである。また、表示／入力装置１２０の内部構成は、実施の形態１と同じである。
【００７０】
次に情報組込み機器メーカサーバ３０２の動作を図２１を用いて説明する。
（１）情報組込み機器メーカサーバ３０２は、まずブロードバンドルータ３００を介して送られてくる情報組込み機器３１０からの「プログラム送信要求」を監視し、要求があるかチェックする（Ｓ３０１）。
（２）「プログラム送信要求」がない場合（Ｓ３０１のＮＯ）、再度Ｓ３０１に戻り、「プログラム送信要求」があるかチェックする。
（３）Ｓ３０１にて、情報組込み機器３１０から「プログラム送信要求」を受けると（Ｓ３０１のＹＥＳ）、情報組込み機器メーカサーバ３０２は、情報組込み機器３１０の機器ＩＤ情報を受信する。
（４）この機器ＩＤ情報は、情報組込み機器３１０の機器機能を識別するもの（例えば情報組込み機器の型番等）である。情報組込み機器メーカサーバ３０２は、この機器ＩＤを元に、自己の保有する初期設定プログラムのうちいずれを情報組込み機器３１０に送信するべきかを決定する。
（５）次に、情報組込み機器メーカサーバ３０２は、送られてきた機器ＩＤから情報組込み機器３１０に送信すべき初期設定プログラム１１をサーバ内から見つけ出す（Ｓ３０３）。
（６）そして情報組込み機器３１０に対し、初期設定プログラム１１を送信する。
（７）以上が情報組込み機器メーカサーバ３０２の動作である。
【００７１】
次に、この実施の形態３における情報組込み機器３１０の動作を図２２を用いて説明する。以下に示すＳ３１４、Ｓ３１５が実施の形態３に特有である。他のステップは、実施の形態１の図１１と同様である。
（１）情報組込み機器３１０に電源が入ると、まず組込側機器制御部４が動作し、設定情報領域１９の内容が設定されていないかチェックする（Ｓ３１１）。
（２）設定情報領域１９に設定情報が格納されていた場合（Ｓ３１１のＮＯ）、初期設定済みであるので、通常の情報組込み機器としての動作を実行する（Ｓ３１２）。
（３）そして、電源ＯＦＦボタンをチェックし（Ｓ３１３）、押されていれば情報組込み機器としての動作を終了し（Ｓ３１３のＹＥＳ）、押されていなければ、そのまま情報組込み機器としての動作を継続する（Ｓ３１３のＮＯ）。
（４）Ｓ３１１にて、設定情報領域に設定情報が格納されていなかった場合（Ｓ３１１のＹＥＳの動作）、組込側機器制御部４は、初期設定部５に制御を移す。
【００７２】
（５）初期設定部５は、まず情報組込み機器メーカサーバに情報組込み機器３１０の機器ＩＤを送信するとともに、初期設定プログラム１１ａの「プログラム送信要求」を行う（Ｓ３１４）。
（６）情報組込み機器メーカサーバ３０２は、情報組込み機器３１０から送信された機器ＩＤを元に、送信する初期設定プログラムを探し、情報組込み機器３１０に送信する。
（７）初期設定部５は、組込側プログラム受信部３０３を用いて、情報組込み機器メーカサーバ３０２から送られてきた初期設定プログラム１１ａを受信し、これを組込側プログラム格納部１０に格納する。
【００７３】
以下の動作は実施の形態１と同様である。
（８）次に、初期設定部５は、表示／入力装置検索部７を使って、ネットワーク１３０上に接続されている表示／入力装置１２０を検索する（Ｓ３１６）。
（９）ネットワーク１３０上に接続されている表示／入力装置１２０が判明すると、初期設定部５は、プログラム送信部６に指示し、組込側通信部８を用いて組込側プログラム格納部１０にある初期設定プログラム１１ａを表示／入力装置１２０に送信する（Ｓ３１７）。
（１０）初期設定プログラム１１ａが表示／入力装置１２０に送信されると、表示／入力装置１２０では初期設定プログラム１１ａが起動され、初期設定処理が実施される。
（１１）その後、次に初期設定部５は、表示／入力装置１２０から送られてくる、コマンドおよび付随データを受信する（Ｓ３１８）。
（１２）次にコマンドが終了コマンドか否かをチェックし（Ｓ３１９）、終了コマンドでない（Ｓ３１９のＮＯ）場合、設定コマンドであり、付随するデータが設定データであるので、初期設定部５は、設定データを設定情報領域１９に設定し、Ｓ３１８に戻って、次のコマンドを受信する。
（１３）Ｓ３１９にて、コマンドが終了コマンドである（Ｓ３１９のＹＥＳ）場合、初期設定手段は終了し、組込側機器制御部４に制御が戻り、通常の情報組込み機器としての動作を実行する（Ｓ３１２）。
（１４）そして、電源ＯＦＦボタンをチェックし（Ｓ３１３）、押されていれば情報組込み機器としての動作を終了し（Ｓ３１３のＹＥＳの動作）、押されなければ、そのまま情報組込み機器としての動作を継続する（Ｓ３１３のＮＯの動作）。
（１５）以上が情報組込み機器３１０の動作である。
【００７４】
この実施の形態３による情報組込み機器の初期設定方式では、家庭内のネットワークをインターネットなどを経由して情報組込み機器メーカのサーバと接続し、初期設定プログラムを情報組込み機器メーカのサーバから情報組込み機器にダウンロードし、それＴＶなどのを表示／入力装置に送信するようにしたので、初期設定プログラムのバグや、新しい表示／入力装置への対応などを情報組込み機器本体の改修を行うことなく実施でき、使用者に対する初期設定方法の改善を速やかに行うことができる情報組込み機器の初期設定方式を得ることができる。
【００７５】
なお、本実施の形態３では、情報組込み機器メーカサーバと、家庭内のネットワークをインターネットで接続していたが、これを別の通信回線で接続しても同様な情報組込み機器の初期設定方式を得ることができる。さらに、家庭内のネットワークとは独立して、情報組込み機器と情報組込み機器メーカサーバとを直接接続する通信回線、または電話等による交換機経由の回線でプログラムのダウンロードを行うようにしても、同様な情報組込み機器の初期設定方式を得ることができる。
【００７６】
実施の形態４．
次に図２３〜図２７を使用して実施の形態４の情報組込み機器の初期設定方式について説明する。実施の形態４における初期設定方式の全体構成は、図１７に示す実施の形態３と同じである。
【００７７】
実施の形態３では情報組込み機器３１０が情報組込み機器メーカサーバ３０２から初期設定プログラム１１の配信を受けた。これに対して実施の形態４は、表示／入力装置４２０が情報組込み機器メーカサーバ３０２から初期設定プログラム１１の配信を受ける。従って情報組込み機器４１０は表示／入力装置４２０に初期設定プログラム１１を送信しない。
【００７８】
図２３は、本実施の形態４の概要を説明する図である。
（１）Ｓ１において、情報組込み機器４１０は、自己の機器ＩＤ及び情報組込み機器メーカサーバ３０２のＵＲＬを表示／入力装置１２０に送信する。これにより表示／入力装置４２０は情報組込み機器４１０と情報組込み機器メーカサーバ３０２とを特定できる。
（２）Ｓ２において、表示／入力装置４２０は、特定した情報組込み機器メーカサーバ３０２に情報組込み機器３１０の機器ＩＤを送信して、情報組込み機器メーカサーバ３０２に情報組込み機器３１０の初期設定プログラム１１の配信を要求する。
（３）Ｓ３において、情報組込み機器メーカサーバ３０２から表示／入力装置４２０に初期設定プログラム１１が配信される。以下は実施の形態１の場合と同様である。
（４）Ｓ４において、実施の形態１と同様、表示／入力装置４２０は、設定情報を情報組込み機器４１０に送信する。
【００７９】
図２４は、本実施の形態４における情報組込み機器４１０の構成図である。情報組込み機器４１０は、実施の形態３の情報組込み機器３１０（図２０）に対し、プログラム送信部６、組込側プログラム受信部３０３および組込側プログラム格納部１０のない構成である。前記のように情報組込み機器４１０は初期設定プログラム１１を表示／入力装置４２０に送信しないからである。一方、情報組込み機器４１０は、自己（情報組込み機器４１０）の機器情報を送信する機器情報送信部４０１を新たに備えている。その他の構成は、実施の形態３の情報組込み機器３１０と同じである。
【００８０】
図２５は、本実施の形態４における表示／入力装置４２０の構成図である。本実施の形態４では、実施の形態３の表示／入力装置１２０（実施の形態１と同じであり図９の構成である。）に対し、情報組込み機器４１０の機器情報を受信するための機器情報受信部４０２を新たに備えている。その他は実施の形態３の表示／入力装置１２０と同じである。
【００８１】
次に、本実施の形態４における情報組込み機器４１０の動作を図２６を用いて説明する。図２６のフローチャートは、図１０とほぼ同様である。図１０に対して、Ｓ４０５において初期設定プログラム１１を送信するのではなく、Ｓ４０５では表示／入力装置４２０に情報組込み機器メーカサーバ３０２のＵＲＬと自己の機器ＩＤとを送信する点が異なる。
（１）情報組込み機器４１０に電源が入ると、まず組込側機器制御部４が動作し、設定情報領域１９の内容が設定されていないかチェックする（Ｓ４０１）。
（２）設定情報領域１９に設定情報が格納されていた場合（Ｓ４０１のＮＯ）、初期設定済みであるので、通常の情報組込み機器としての動作を実行する（Ｓ４０２）。
（３）そして、電源ＯＦＦボタンをチェックし（Ｓ４０３）、押されていれば情報組込み機器としての動作を終了し（Ｓ４０３のＹＥＳ）、押されていなければ、そのまま情報組込み機器としての動作を継続する（Ｓ４０３のＮＯ）。
（４）Ｓ４０１にて、設定情報領域１９に設定情報が格納されていなかった場合（Ｓ４０１のＹＥＳの動作）、組込側機器制御部４は、初期設定部５に制御を移す。
（５）初期設定部５は、まず表示／入力装置検索部７を使って、ネットワーク１３０上に接続されている表示／入力装置４２０を検索する（Ｓ４０４）。
（６）表示／入力装置検索部７は、応対した表示／入力装置４２０の情報を初期設定部５に伝達する。
【００８２】
次の（７）〜（９）が特徴である。
（７）Ｓ４０４にてネットワーク１３０上に接続されている表示／入力装置４２０が判明すると、初期設定部５は、機器情報送信部４０１に指示し、表示／入力装置４２０に対し、情報組込み機器４１０の「機器情報」を送信する（Ｓ４０５）。
（８）「機器情報」は、表示／入力装置４２０が情報組込み機器メーカサーバ３０２から初期設定プログラム１１をダウンロードするために必要な情報である。「機器情報」とは、例えば、情報組込み機器メーカサーバ３０２から初期設定プログラム１１をダウンロードするために必要となる「情報組込み機器メーカサーバ３０２のＵＲＬ」、および情報組込み機器４１０の機器機能を識別する「機器ＩＤ」（例えば情報組込み機器の型番等）などを含む。
（９）この「機器情報」を表示／入力装置４２０が受信することで、表示／入力装置４２０は、情報組込み機器メーカサーバ３０２と接続することが可能となる。これにより、表示／入力装置４２０は、初期設定プログラム１１ａを情報組込み機器メーカサーバ３０２からダウンロードし、起動することにより、初期設定処理を実施することができる。
【００８３】
以下（１０）〜（１４）は実施の形態１の図１０と同様である。
（１０）Ｓ４０５によって機器情報が表示／入力装置４２０に送信されると、初期設定部５は、表示／入力装置４２０から送られてくる、コマンドおよび付随データを受信する（Ｓ４０６）。
（１１）次にコマンドが終了コマンドか否かをチェックし（Ｓ４０７）、終了コマンドでない（Ｓ４０７のＮＯ）場合、設定コマンドであり、付随するデータが設定データであるので、初期設定部５は、設定データを設定情報領域１９に設定し（Ｓ４０８）、Ｓ４０６に戻って、次のコマンドを受信する。
（１２）Ｓ４０７にて、コマンドが終了コマンドである（Ｓ４０７のＹＥＳ）場合、初期設定部５は終了し、組込側機器制御部４に制御が戻り、通常の情報組込み機器としての動作を実行する（Ｓ４０２）。
（１３）そして、電源ＯＦＦボタンをチェックし（Ｓ４０３）、押されていれば情報組込み機器としての動作を終了し（Ｓ４０３のＹＥＳの動作）、押されなければ、そのまま情報組込み機器としての動作を継続する（Ｓ４０３のＮＯの動作）。
（１４）以上が情報組込み機器４１０の動作である。
【００８４】
次に、この実施の形態における表示／入力装置４２０の動作を図２７を用いて説明する。
実施の形態１の図１１に類似するが、図１１に対して新たにＳ４１５、Ｓ４１６が追加されたかたちになっている。
（１）表示／入力装置４２０に電源が入ると、まず装置側機器制御部２０が動作し、通常の表示／入力装置としての動作を実行する（Ｓ４１１）。
（２）そして、情報組込み機器から「機能情報要求」が来ているかチェックする（Ｓ４１２）。
（３）「機能情報要求」が来ていない場合（Ｓ４１２のＮＯ）、次に電源ボタンが押されたかチェックする（Ｓ４１３）。
（４）電源ボタンが押されている場合（Ｓ４１３のＹＥＳ）、表示／入力装置４２０は終了し、電源ボタンが押されていない場合（Ｓ４１３のＮＯ）、再度Ｓ４１１に戻って、通常の表示／入力装置としての動作を継続する。
【００８５】
（５）Ｓ４１２にて、「機能情報要求」が来ている場合（Ｓ４１２のＹＥＳ）、装置側機器制御部２０は、装置側通信部２４を使って情報組込み機器４１０に対し、表示／入力装置であることと、自身の識別子を情報組込み機器４１０に送信する（Ｓ４１４）。
【００８６】
（６）次に、装置側機器制御部２０は、機器情報受信部４０２を使って、情報組込み機器４１０から送信される「機器情報」を受信する（Ｓ４１５）。
（７）「機器情報」としては、情報組込み機器メーカサーバ３０２からプログラムをダウンロードするために必要な「情報組込み機器メーカサーバ３０２のＵＲＬ」と、情報組込み機器４１０の機器機能を識別するＩＤ（例えば情報組込み機器の型番等）が送信されてくる。これらを受信すると、装置側機器制御部２０は、通信手段を使って、指定されたＵＲＬにある情報組込み機器メーカサーバ３０２に対し、機器識別ＩＤを送信し、初期設定プログラム１１ａの送信要求を行う（Ｓ４１６）。
（８）情報組込み機器メーカサーバ３０２は、送られてきた機器識別ＩＤから表示／入力装置４２０に送信すべき初期設定プログラム１１ａをサーバ内から見つけ出し、表示／入力装置４２０に対し、初期設定プログラム１１ａを送信する。
（９）Ｓ４１６にて、情報組込み機器メーカサーバ３０２にプログラム送信要求を行うと、装置側機器制御部２０は、装置側プログラム受信部２３を使って、情報組込み機器４１０から送信される初期設定プログラム１１を受信する（Ｓ４１７）。
【００８７】
以下の動作は図１１と同様である。
（１０）この時、装置側プログラム受信部２３は、装置側通信部２４を使って初期設定プログラム１１ａを受信し、装置側プログラム格納部２５に格納する。
（１１）その後、装置側機器制御部２０は装置側プログラム格納部２５に格納された初期設定プログラム１１ａを起動する（Ｓ４１８）。これにより初期設定プログラムに制御が移る。
【００８８】
（１２）初期設定プログラム１１ａが起動すると、設定制御手段１２ａが動作する。
（１３）設定制御手段１２ａは、まず、表示操作手段１４ａを使って現在の設定情報を表示／入力装置４２０の画面に表示する（Ｓ４１９）。
（１４）次に設定制御手段１２ａは入力操作手段１３ａを使って、使用者からの設定情報を取得する（Ｓ４２０）。
（１５）使用者からの入力情報を取得すると、設定制御手段１２ａは、その設定情報が終了を指示するものか判断する（Ｓ４２１）。
（１６）設定情報が終了を意味するものでない場合（Ｓ４２１のＮＯ）、設定制御手段１２ａは、装置側通信部２４を使い、情報組込み機器４１０に設定変更コマンドとともに変更する情報を送信する（Ｓ４２２）。
（１７）そして、Ｓ４１９に戻り再度、表示操作手段１４ａを使って、設定情報が更新された現在の設定情報を画面に表示する。
（１８）Ｓ４１９からＳ４２２の繰り返しにより、使用者は情報組込み機器４１０の初期設定を順に実施していく。
【００８９】
（１９）Ｓ４２１にて、設定情報が終了を意味するものである場合（Ｓ４２１のＹＥＳ）、設定制御手段１２ａは、装置側通信部２４を使い、情報組込み機器４１０に終了コマンドを送信する（Ｓ４２３）。
（２０）そして、画面を初期設定プログラム１１ａが動作する前に戻し、初期設定プログラム１１ａの動作を終了する（Ｓ４２４）。
（２１）これにより装置側機器制御部２０に制御が戻る。
【００９０】
（２２）装置側機器制御部２０に制御が戻ると、装置側機器制御部２０は表示／入力装置４２０の電源ボタンが押されたかチェックする（Ｓ４１３）。
（２３）電源ボタンが押されている場合（Ｓ４１３のＹＥＳ）、表示／入力装置４２０は終了し、電源ボタンが押されていない場合（Ｓ４１３のＮＯ）、Ｓ４１１に戻って、通常の表示／入力装置としての動作を継続する。
（２４）以上が、表示／入力装置４２０の動作である。
【００９１】
この実施の形態４による情報組込み機器の初期設定方式では、情報組込み機器にプログラムを格納する領域を設けずに、初期設定プログラムを情報組込み機器メーカのサーバから表示／入力装置に直接ダウンロードするようにしたので、初期設定プログラムのバグや、新しい表示／入力装置への対応などを情報組込み機器本体の改修を行うことなく実施でき、使用者に対する初期設定方法の改善を速やかに行うことができる情報組込み機器の初期設定方式を得ることができる。
【００９２】
なお、本実施の形態では、情報組込み機器メーカサーバと、家庭内のネットワークをインターネットで接続していたが、これを別の通信回線で接続しても同様な情報組込み機器の初期設定方式を得ることができる。さらに、家庭内のネットワークとは独立して、表示／入力装置と情報組込み機器メーカサーバとを直接接続する通信回線、または電話等による交換機経由の回線でプログラムのダウンロードを行うようにしても、同様な情報組込み機器の初期設定方式を得ることができる。
【００９３】
実施の形態５．
次に図２８〜図３０を使用して実施の形態５における情報組込み機器の初期設定方式について説明する。実施の形態５は、表示／入力装置５２０が不揮発性メモリを備え、表示／入力装置５２０で設定した設定情報を不揮発性メモリに格納して保持する実施形態である。本実施の形態５における初期設定方式の全体構成は、実施の形態１を示す図１の場合と同じである。
【００９４】
図２８は、実施の形態５における情報組込み機器５１０の内部構成図である。情報組込み機器５１０の内部構成は、初期設定プログラム１１内に、表示／入力装置５２０の不揮発性メモリ５０２に初期設定の情報を保存するための設定保存手段５０１が追加された以外は、実施の形態１の情報組込み機器１１０と同じである。
【００９５】
図２９は、実施の形態５における表示／入力装置５２０の内部構成図である。実施の形態５における表示／入力装置５２０の内部構成図は、実施の形態１に対して、初期設定プログラム１１ａに、設定保存手段５０１ａが追加される。また、不揮発性メモリ５０２が追加されている。不揮発性メモリ５０２内には設定情報保持領域５０３が設定されている。これらの他は、実施の形態１の表示／入力装置１２０の構成と同じである。不揮発性メモリ５０２は、表示／入力装置５２０の電源がＯＦＦとされても内部データを保持する。また、設定情報保持領域５０３は、情報組込み機器５１０の初期設定情報を保持する。
【００９６】
次に、この実施の形態における表示／入力装置５２０の動作を図３０を用いて説明する。図３０は、図１１に対して、Ｓ５０７、Ｓ５１５、Ｓ５１６、Ｓ５１２が追加されたフローチャートとなっている。
（１）表示／入力装置５２０に電源が入ると、まず装置側機器制御部２０が動作し、通常の表示／入力装置としての動作を実行する（Ｓ５０１）。
（２）そして、情報組込み機器５１０から「機能情報要求」が来ているかチェックする（Ｓ５０２）。
（３）「機能情報要求」が来ていない場合（Ｓ５０２のＮＯ）、次に電源ボタンが押されたかチェックする（Ｓ５０３）。
（４）電源ボタンが押されている場合（Ｓ５０３のＹＥＳ）、表示／入力装置５２０は終了し、電源ボタンが押されていない場合（Ｓ５０３のＮＯ）、再度Ｓ５０１に戻って、通常の表示／入力装置としての動作を継続する。
【００９７】
（５）Ｓ５０２にて、「機能情報要求」が来ている場合（Ｓ５０２のＹＥＳ）、装置側機器制御部２０は、装置側通信部２４を使って情報組込み機器５１０に対し、表示／入力装置であることと、自身の識別子を情報組込み機器５１０に送信する（Ｓ５０４）。
（６）次に、装置側機器制御部２０は、装置側プログラム受信部２３を使って、情報組込み機器５１０から送信される初期設定プログラム１１を受信する（Ｓ５０５）。
（７）その後、装置側機器制御部２０は装置側プログラム格納部２５に格納された初期設定プログラム１１ａを起動する（Ｓ５０６）。
（８）これにより初期設定プログラムに制御が移る。
【００９８】
（９）初期設定プログラム１１ａが起動すると、設定制御手段１２ａが動作する。
（１０）設定制御手段１２ａは、まず、不揮発性メモリ５０２を参照し、設定情報保持領域５０３の内容が設定されていないかチェックする（Ｓ５０７）。
（１１）設定情報保持領域５０３に設定情報が格納されていない場合（Ｓ５０７のＮＯ）、表示操作手段１４ａを使って現在の設定情報を表示／入力装置５２０の画面に表示する（Ｓ５０８）。
（１２）次に設定制御手段１２ａは入力操作手段１３ａを使って、使用者からの設定情報を取得する（Ｓ５０９）。
（１３）使用者からの設定情報を取得すると、設定制御手段１２ａは、その設定情報が終了を指示するものか判断する（Ｓ５１０）。
（１４）設定情報が終了を意味するものでない場合（Ｓ５１０のＮＯ）、設定制御手段１２ａは、装置側通信部２４を使い、情報組込み機器５１０に設定変更コマンドとともに変更する情報を送信する（Ｓ５１１）。
（１５）次に、設定制御手段１２ａは設定保存手段５０１ａを使い、設定情報を不揮発性メモリ５０２内の設定情報保持領域５０３に保存する（Ｓ５１２）。
（１６）これにより、表示／入力装置５２０の電源がＯＦＦになっても、使用者が設定した情報は表示／入力装置の次回の起動でも参照可能となる。
（１７）そして、Ｓ５０８に戻り再度、表示操作手段１４ａを使って、設定情報が更新された現在の設定情報を画面に表示する（Ｓ５０８）。
（１８）Ｓ５０８からＳ５１２の繰り返しにより、使用者は情報組込み機器５１０の初期設定を順に実施し、それが設定情報保持領域５０３に記憶されていく。
【００９９】
（１９）Ｓ５１０にて、設定情報が終了を意味するものである場合（Ｓ５１０のＹＥＳ）、設定制御手段１２ａは、装置側通信部２４を使い、情報組込み機器５１０に終了コマンドを送信する（Ｓ５１３）。
（２０）そして、画面を初期設定プログラム１１ａが動作する前に戻し、初期設定プログラム１１ａの動作を終了する（Ｓ５１４）。
（２１）これにより装置側機器制御部２０に制御が戻る。
【０１００】
（２２）Ｓ５０７にて、設定情報保持領域５０３に設定情報が格納されている場合（Ｓ５０７のＹＥＳ）、設定制御手段１２ａは、設定情報保持領域５０３に保存されている情報を読み出し、装置側通信部２４を使って、情報組込み機器５１０に設定変更コマンドとともに保持されている情報を送信する（Ｓ５１５）。
（２３）これにより、使用者が既に設定済みの初期設定データが情報組込み機器５１０に送られるため、使用者は再度初期設定データを設定する必要がない。
（２４）次に、設定制御手段１２ａは、設定情報保持領域５０３の情報を参照し、全ての設定情報が設定されているかチェックする（Ｓ５１６）。
（２５）未設定の情報が存在する場合（Ｓ５１６のＮＯ）、Ｓ５０８に移り、使用者に現在の設定情報を表示し、未設定の情報を設定させる。
（２６）未設定の情報が存在しない場合（Ｓ５１６のＹＥＳ）、Ｓ５１３に移り、情報組込み機器５１０に終了コマンドを送信するとともに、Ｓ５１４にて画面を初期設定プログラム１１ａが動作するまでに戻し、初期設定プログラム１１ａの動作を終了する。
【０１０１】
（２７）装置側機器制御部２０に制御が戻ると、装置側機器制御部２０は表示／入力装置５２０の電源ボタンが押されたかチェックする（Ｓ５０３）。
（２８）電源ボタンが押されている場合（Ｓ５０３のＹＥＳ）、表示／入力装置５２０は終了し、電源ボタンが押されていない場合（Ｓ５０３のＮＯ）、Ｓ５０１に戻って、通常の表示／入力装置としての動作を継続する。
（２９）以上が、表示／入力装置５２０の動作である。
【０１０２】
この実施の形態５による情報組込み機器の初期設定方式では、表示／入力装置に、不揮発性メモリを備え、この不揮発性メモリに情報組込み機器の初期設定情報を保存するようにし、この初期設定情報保持領域にデータが存在する場合は、そのデータを情報組込み機器に送信するようにしたので、一度情報組込み機器の初期設定をすると、情報組込み機器および表示／入力装置の電源がＯＦＦしても、再度設定する必要がなくなり、使用者がより簡易に情報組込み機器の初期設定が行える情報組込み機器の初期設定方式を得ることができる。
【０１０３】
なお、本実施の形態５では、表示／入力装置に保存される設定情報保持領域を情報組込み機器一つ分を保持するようにしているが、これを、複数の情報組込み機器分保持するようにしても同様な情報組込み機器の初期設定方式を得ることができる。この場合、設定情報保持領域には、各情報組込み機器の識別ＩＤ（情報組込み機器の型番と製造番号など）を一緒に保存することで、初期設定プログラム１１ａがどの設定情報が自身のものかを判別することが可能となる。
【０１０４】
実施の形態６．
図３１〜図３７を用いて、実施の形態６における情報組込み機器の初期設定方式を説明する。実施の形態６は、表示／入力装置６２０が、初期設定プログラム１１ａの運用を補助するコールセンタ装置６０１と通信する実施形態である。
【０１０５】
図３１は、本実施の形態６における情報組込み機器の初期設定方式の全体構成図である。実施の形態６では、図１に示す実施の形態１の全体構成に対し、ブロードバンドルータ３００とコールセンタ装置６０１を備えるコールセンタ６００が追加されている。その他は、図１と同じである。
【０１０６】
ブロードバンドルータ３００は家庭内のネットワーク１３０をインターネット３０１へ接続する。
【０１０７】
コールセンタ６００のコールセンタ装置６０１は、インターネット３０１を介して情報組込み機器６１０の初期設定プログラム初期設定プログラム１１ａと接続し、画像データおよび音声データをやりとりする。コールセンタ６００には情報組込み機器６１０の保守作業者が配置されている。コールセンタ装置６０１は、保守作業者の映像を写すカメラ（図示していない）と、保守作業者の音声を取得するマイク（図示していない）と、情報組込み機器６１０の使用者からの音声を伝えるスピーカ（図示していない）が備える。
【０１０８】
図３２は、実施の形態６の初期設定方式の概要を示す図である。情報組込み機器６１０から表示／入力装置６２０に初期設定プログラム１１を送信すると、初期設定プログラム１１が起動される。そして、初期設定プログラム１１に基づき、表示／入力装置６２０はコールセンタ装置６０１に質問を送信する。コールセンタ装置６０１は、表示／入力装置６２０に質問の回答を送信する。このように表示／入力装置６２０からコールセンタ装置６０１へ質問が可能となり、容易に情報組込み機器６１０の初期設定情報を作成することが可能となる。
【０１０９】
図３３は、実施の形態６における情報組込み機器６１０の内部構成図である。実施の形態６の情報組込み機器６１０の内部構成は、初期設定プログラム１１内に、コールセンタ装置６０１と表示／入力装置６２０とが通信するためのコールセンタ通信手段６０２が追加されている。これ以外は、実施の形態１の情報組込み機器１１０と同じである。
【０１１０】
同様に、図３４に示される、表示／入力装置６２０の内部構成図も、初期設定プログラム１１ａに、コールセンタ通信手段６０２ａが追加された以外は、実施の形態１の表示／入力装置１２０と同じである。入力部２１は、使用者の声を取得するマイクを含む。このマイクは、例えば図５に示したマイク１５３が該当する。
【０１１１】
次に、この実施の形態における表示／入力装置６２０の動作を図３５、図３６および図３７を用いて説明する。図３５は、表示／入力装置６２０の動作を示すフローチャートである。図３５は、実施の形態１の図１１に対してＳ６０９、Ｓ６１４〜Ｓ６１６を追加したものとなっている。
（１）表示／入力装置６２０に電源が入ると、まず装置側機器制御部２０が動作し、通常の表示／入力装置としての動作を実行する（Ｓ６０１）。
（２）そして、情報組込み機器から「機能情報要求」が来ているかチェックする（Ｓ６０２）。
（３）「機能情報要求」が来ていない場合（Ｓ６０２のＮＯ）、次に電源ボタンが押されたかチェックする（Ｓ６０３）。
（４）電源ボタンが押されている場合（Ｓ６０３のＹＥＳ）、表示／入力装置６２０は終了し、電源ボタンが押されていない場合（Ｓ６０３のＮＯ）、再度Ｓ６０１に戻って、通常の表示／入力装置としての動作を継続する。
【０１１２】
（５）Ｓ６０２にて、「機能情報要求」が来ている場合（Ｓ６０２のＹＥＳ）、装置側機器制御部２０は、装置側通信部２４を使って情報組込み機器６１０に対し、表示／入力装置であることと、自身の識別子を情報組込み機器６１０に送信する（Ｓ６０４）。
（６）次に、装置側機器制御部２０は、装置側プログラム受信部２３を使って、情報組込み機器６１０から送信される初期設定プログラム１１を受信する（Ｓ６０５）。
（７）その後、装置側機器制御部２０は装置側プログラム格納部２５に格納された初期設定プログラム１１ａを起動する（Ｓ６０６）。
（８）これにより初期設定プログラムに制御が移る。
【０１１３】
（９）初期設定プログラム１１ａが起動すると、設定制御手段１２ａが動作する。
（１０）設定制御手段１２ａは、まず、表示操作手段１４ａを使って現在の設定情報を表示／入力装置６２０の画面に表示する（Ｓ６０７）。
（１１）最初の画面では図３６に示すように、各設定に対するデフォルト値が表示されるとともに、使用者が設定操作方法が判らなくなった場合の対処方法も表示する。
（１２）図３６の例では、表示／入力装置６２０の画面３０に、初期設定プログラム１１ａによる表示画面３１が表示される。この例では、情報組込み機器６１０を電子レンジとした場合を示しており、現在時刻や暖め時間、解凍モードなどが初期設定項目として表示される。
（１３）そして、表示画面３１の右端に、使用者が設定操作が判らなくなった場合に、リモコンのＸボタンを押してもらう旨の注意表示６０３が表示される。この「Ｘボタン」は、図６のリモコン１７０に示した不明ボタンが該当する。
（１４）この表示により、使用者は初期設定操作中に設定方法がわからなくなった時、Ｘボタンを押すことができる。
（１５）表示操作手段１４ａは表示部２２を使って、この画面を表示／入力装置６２０の画面に表示する。
（１６）次に設定制御手段１２ａは入力操作手段１３ａを使って、使用者からの入力情報を取得する（Ｓ６０８）。
（１７）使用者からの入力情報を取得すると、設定制御手段１２ａは、その入力情報が不明ボタンが押された（図３６におけるＸボタンが押された）ことによるものかをチェックする（Ｓ６０９）。
（１８）不明ボタンが押されたことによるものでない場合（Ｓ６０９のＮＯ）、設定制御手段１２ａは、その設定情報が終了を指示するものか判断する（Ｓ６１０）。
（１９）設定情報が終了を意味するものでない場合（Ｓ６１０のＮＯ）、設定制御手段１２ａは、装置側通信部２４を使い、情報組込み機器６１０に設定変更コマンドとともに変更する情報を送信する（Ｓ６１１）。
（２０）そして、Ｓ６０７に戻り、再度、表示操作手段１４ａを使って、設定情報が更新された現在の設定情報を画面に表示する。
（２１）Ｓ６０７からＳ６１１の繰り返しにより、使用者は情報組込み機器６１０の初期設定を順に実施していく。
【０１１４】
（２２）Ｓ６１０にて、設定情報が終了を意味するものである場合（Ｓ６１０のＹＥＳ）、設定制御手段１２ａは、装置側通信部２４を使い、情報組込み機器６１０に終了コマンドを送信する（Ｓ６１２）。
（２３）そして、画面を初期設定プログラム１１ａが動作する前に戻し、初期設定プログラム１１ａの動作を終了する（Ｓ６１３）。
（２４）これにより装置側機器制御部２０に制御が戻る。
【０１１５】
（２５）Ｓ６０９にて、使用者からの入力情報が不明ボタンが押されたことによる場合（Ｓ６０９のＹＥＳ）、設定制御手段１２ａはコールセンタ通信手段６０２ａに制御を移す。
（２６）コールセンタ通信手段６０２ａは、まず、装置側通信部２４を使って、コールセンタ装置６０１と通信を行い、コールセンタ６００の保守担当者を呼び出す（Ｓ６１４）。
（２７）コールセンタ６００の保守担当者が応対可能になると、コールセンタ装置６０１は、カメラにより取得した担当の保守担当者の映像データと、マイクにより取得した音声データとを表示／入力装置６２０に送信し、同様に表示／入力装置６２０のコールセンタ通信手段６０２ａは、入力部２１のマイク６２１を使って、使用者の音声を取得し、音声データとしてコールセンタ装置６０１に送信する（Ｓ６１５）。
（２８）コールセンタ装置６０１では、使用者の音声データをスピーカから音声として出力する。
（２９）また、コールセンタ通信手段６０２ａは、保守担当者の音声データを表示／入力装置６２０の表示部２２を使ってスピーカ１６４に音声として出力するとともに、保守担当者の映像データを表示／入力装置６２０の表示部２２を使って、例えばＣＲＴ表示装置１５０の画面に出力する。
（３０）これにより、表示／入力装置６２０の画面は図３７に示されるように、表示画面３１内に保守担当者映像６０４が出力される。
（３１）これにより、使用者は、初期設定で不明な部分を音声により保守担当者に伝えることが可能となり、保守担当者は音声と映像を使って、不明部分の解決方法を使えることができる。
（３２）次に、コールセンタ通信手段６０２ａは、コールセンタ装置６０１から回線切断指示が来たかをチェックする（Ｓ６１６）。
（３３）から回線切断指示が来ていない場合（Ｓ６１６のＮＯ）、Ｓ６１５に戻り、再度保守担当者の映像／音声を受信し、そのデータを表示／入力装置６２０に出力し、使用者の音声を取得し、コールセンタ装置６０１に送信する。
（３４）Ｓ６１５の処理によって、使用者が初期設定の不明部分が解決されると、コールセンタ６００の保守担当者は回線切断要求を行い、コールセンタ装置６０１から表示／入力装置６２０に回線切断指示が送信される。
（３５）コールセンタ通信手段６０２ａにて回線切断指示を受信すると（Ｓ６１６のＹＥＳ）、コールセンタ通信手段６０２ａは、使用者に初期設定を継続させるために、Ｓ６０７に戻り、現在の初期設定情報を表示する。
（３６）以上が表示／入力装置６２０の動作である。
【０１１６】
この実施の形態６による情報組込み機器の初期設定方式では、家庭内のネットワークと、情報組込み機器の保守担当者が駐在するコールセンタ６００とをインターネットを介して接続し、初期設定プログラムがコールセンタと通信する機能を備え、使用者が初期設定中に不明な部分がある場合、使用者はコールセンタを呼び出せるようにした。このため、使用者は初期設定中に保守担当者とやりとりができるので、分厚いマニュアル等を参照することなしに、より簡易に情報組込み機器の初期設定ができる。
【０１１７】
なお、本実施の形態６では、保守担当者の映像を画面に表示するようにしたが、ＩＰ電話のようなものを採用し、保守担当者と使用者が音声のみでやりとりできるにしても、同様な情報組込み機器の初期設定方式を得ることができる。
【０１１８】
また、本実施の形態６では、回線切断をコールセンタ６００から行うようにしたが、これを初期設定プログラム側から行っても、同様な情報組込み機器の初期設定方式を得ることができる。なお、この場合、不明ボタンと同様に、回線切断ボタン（図６）がリモコンに追加で割り当られる。
【０１１９】
実施の形態７．
次に図３８〜図４１を用いて実施の形態７における情報組込み機器の初期設定方式について説明する。実施の形態７の初期設定方式の全体構成は、実施の形態６を示す図３１と同じ構成である。実施の形態７は、コールセンタ装置６０１が初期設定情報を編集する実施形態である。なお、本実施の形態７では、コールセンタ装置６０１は、情報組込み機器７１０の初期設定データを保守担当者が確認するための表示装置（図示していない）を備える。
【０１２０】
図３８は、実施の形態７の概要を説明するための図である。情報組込み機器７１０は、現在の初期設定情報を含む初期設定プログラム１１を表示／入力装置７２０に送信する。表示／入力装置７２０は、現在の初期設定情報をコールセンタ装置６０１に送信する。コールセンタ装置６０１は現在の初期設定情報を編集し、編集した初期設定情報を表示／入力装置７２０に返信する。表示／入力装置７２０は、編集した初期設定情報を情報組込み機器７１０に送信する。
【０１２１】
図３９は、実施の形態７における情報組込み機器７１０の内部構成図である。情報組込み機器７１０の内部構成は、コールセンタ通信手段６０２内に、さらに、データ送信手段７０１とデータ受信手段７０２が追加された。これ以外は実施の形態６と同じである。データ送信手段７０１は、コールセンタ装置６０１に情報組込み機器７１０の初期設定データを送信する。また、データ受信手段７０２は、コールセンタ装置６０１から送られてくる情報組込み機器７１０の初期設定データを受信する。
【０１２２】
図４０に示される実施の形態７における表示／入力装置７２０の内部構成図も、コールセンタ通信手段６０２ａ内に、データ送信手段７０１ａとデータ受信手段７０２ａとが追加された以外は、実施の形態６の表示／入力装置６２０と同じ構成である。
【０１２３】
次に、この実施の形態７における表示／入力装置７２０の動作を図４１を用いて説明する。図４１は表示／入力装置７２０の動作を説明するフローチャートである。図４１は、実施の形態６の図３５に対して、さらにＳ７１６〜Ｓ７２１が追加された形になっている。
（１）表示／入力装置７２０に電源が入ると、まず装置側機器制御部２０が動作し、通常の表示／入力装置としての動作を実行する（Ｓ７０１）。
（２）そして、情報組込み機器から「機能情報要求」が来ているかチェックする（Ｓ７０２）。
（３）「機能情報要求」が来ていない場合（Ｓ７０２のＮＯ）、次に電源ボタンが押されたかチェックする（Ｓ７０３）。
（４）電源ボタンが押されている場合（Ｓ７０３のＹＥＳ）、表示／入力装置７２０は終了し、電源ボタンが押されていない場合（Ｓ７０３のＮＯ）、再度Ｓ７０１に戻って、通常の表示／入力装置としての動作を継続する。
【０１２４】
（５）Ｓ７０２にて、「機能情報要求」が来ている場合（Ｓ７０２のＹＥＳ）、装置側機器制御部２０は、装置側通信部２４を使って情報組込み機器７１０に対し、表示／入力装置であることと、自身の識別子を情報組込み機器７１０に送信する（Ｓ７０４）。
（６）次に、装置側機器制御部２０は、装置側プログラム受信部２３を使って、情報組込み機器７１０から送信される初期設定プログラム１１を受信する（Ｓ７０５）。
（７）その後、装置側機器制御部２０は装置側プログラム格納部２５に格納された初期設定プログラム１１ａを起動する（Ｓ７０６）。
（８）これにより初期設定プログラムに制御が移る。
【０１２５】
（９）初期設定プログラム１１ａが起動すると、設定制御手段１２ａが動作する。設定制御手段１２ａは、まず、表示操作手段１４ａを使って現在の設定情報を表示／入力装置７２０の画面に表示する（Ｓ７０７）。
（１０）この時、実施の形態６と同様に表示画面の右端に、使用者が設定操作が判らなくなった場合に、不明ボタンを押してもらう旨の表示が表示される。
（１１）次に設定制御手段１２ａは入力操作手段１３ａを使って、使用者からの入力情報を取得する（Ｓ７０８）。
（１２）使用者からの入力情報を取得すると、設定制御手段１２ａは、その入力情報が不明ボタンが押されたことによるものかをチェックする（Ｓ７０９）。
（１３）不明ボタンが押されたことによるものでない場合（Ｓ７０９のＮＯ）、設定制御手段１２ａは、その設定情報が終了を指示するものか判断する（Ｓ７１０）。
（１４）設定情報が終了を意味するものでない場合（Ｓ７１０のＮＯ）、設定制御手段１２ａは、装置側通信部２４を使い、情報組込み機器７１０に設定変更コマンドとともに変更する情報を送信する（Ｓ７１１）。
（１５）そして、Ｓ７０７に戻り再度、表示操作手段１４ａを使って、設定情報が更新された現在の設定情報を画面に表示する。
（１６）Ｓ７０７からＳ７１１の繰り返しにより、使用者は情報組込み機器７１０の初期設定を順に実施していく。
【０１２６】
（１７）Ｓ７１０にて、設定情報が終了を意味するものである場合（Ｓ７１０のＹＥＳ）、設定制御手段１２ａは、装置側通信部２４を使い、情報組込み機器７１０に終了コマンドを送信する（Ｓ７１２）。
（１８）そして、画面を初期設定プログラム１１ａが動作する前に戻し、初期設定プログラム１１ａの動作を終了する（Ｓ７１３）。
（１９）これにより装置側機器制御部２０に制御が戻る。
【０１２７】
（２０）Ｓ７０９にて、使用者からの入力情報が不明ボタンが押されたことによる場合（Ｓ７０９のＹＥＳ）、設定制御手段１２ａはコールセンタ通信手段６０２ａに制御を移す。
（２１）コールセンタ通信手段６０２ａはまず、装置側通信部２４を使って、コールセンタ装置６０１と通信を行い、コールセンタ６００の保守担当者を呼び出す（Ｓ７１４）。
（２２）コールセンタ６００の保守担当者が応対可能になると、コールセンタ装置６０１は、カメラから取得した担当の保守担当者の映像データと、マイクから取得した音声データとを表示／入力装置７２０に送信し、同様に表示／入力装置７２０のコールセンタ通信手段６０２ａは、入力部２１のマイク１５３を使って、使用者の音声を取得し、音声データとしてコールセンタ装置６０１に送信する（Ｓ７１５）。
（２３）コールセンタ装置６０１は、使用者の音声データを保守担当者のスピーカから音声として出力する。
（２４）また、コールセンタ通信手段６０２ａは、保守担当者の音声データを表示／入力装置７２０の表示部２２を使ってスピーカ１６４に音声として出力するとともに、保守担当者の映像データを表示／入力装置７２０の表示部２２を使って、ＣＲＴ表示装置１５０の画面に出力する。
（２５）これにより、使用者は、初期設定で不明な部分を音声により保守担当者に伝えることが可能となり、保守担当者は音声と映像を使って、不明部分の解決方法を伝えることができる。
（２６）次に、コールセンタ通信手段６０２ａはコールセンタ装置６０１から設定情報送信指示が来たかチェックする（Ｓ７１６）。
（２７）保守担当者が情報組込み機器７１０の現在の設定情報を参照したい場合、コールセンタ装置６０１は、表示／入力装置７２０に対し、設定情報送信指示を行う。
（２８）コールセンタ装置６０１から設定情報送信指示が来た場合（Ｓ７１６のＹＥＳ）、コールセンタ通信手段６０２ａはデータ送信手段７０１ａを使って、現在の設定情報をコールセンタ装置６０１に送信する（Ｓ７１７）。この現在の初期設定情報は、図３９に示すデータ領域に格納されている。従って、図４０に示すデータ領域１５ａ（データ格納領域の一例）に格納されている。
（２９）コールセンタ装置６０１では、この設定情報を受信し、保守担当者のみる画面に表示することで、保守担当者は、情報組込み機器７１０の最新の設定情報を参照することができ、かつ設定情報の編集を行うことが可能となる。
【０１２８】
（３０）コールセンタ装置６０１から設定情報送信指示が来ていない場合（Ｓ７１６のＮＯ）、およびＳ７１７にてコールセンタ装置６０１に現在の設定情報を送信した場合、次にコールセンタ通信手段６０２ａは、コールセンタ装置６０１から設定情報受信指示が来たかチェックする（Ｓ７１８）。
（３１）保守担当者が情報組込み機器７１０の設定情報を変更したい場合、コールセンタ装置６０１は、表示／入力装置７２０（送信元）に対し、変更した設定情報とともに、設定情報受信指示を行う。
（３２）コールセンタ装置６０１から設定情報受信指示が来た場合（Ｓ７１８のＹＥＳ）、コールセンタ通信手段６０２ａはデータ受信手段７０２ａを使って、コールセンタ装置６０１から、保守担当者が修正した設定情報（編集済み機器設定情報の一例）を受信する（Ｓ７１９）。
（３３）そして、情報組込み機器７１０（送信元）に対し、コールセンタ装置６０１から送られてきた設定情報とともに設定変更コマンドを送信し、情報組込み機器７１０の設定データを変更し（Ｓ７２０）、表示操作手段１４ａを使って現在の設定情報を表示／入力装置７２０の画面に表示する（Ｓ７２１）。
（３４）これにより、使用者は保守担当者が修正した設定情報を確認することができる。
【０１２９】
（３５）コールセンタ装置６０１から設定情報受信指示が来ていない場合（Ｓ７１６のＮＯ）、およびＳ７２１にて現在の設定情報を表示／入力装置７２０の画面に表示した場合、次にコールセンタ通信手段６０２ａは、コールセンタ装置６０１から回線切断指示が来たかをチェックする（Ｓ７２２）。
（３６）コールセンタ装置６０１から回線切断指示が来ていない場合（Ｓ７２２のＮＯ）、Ｓ７１５に戻り、再度保守担当者の映像／音声を受信し、そのデータを表示／入力装置に出力し、使用者の音声を取得し、コールセンタ装置６０１に送信する。
（３７）Ｓ７１５の処理によって、使用者が初期設定の不明部分が解決されると、コールセンタ６００の保守担当者は、回線切断要求を行い、コールセンタ装置６０１から表示／入力装置７２０に回線切断指示が送信される。
（３８）コールセンタ通信手段６０２ａにて回線切断指示を受信すると（Ｓ７２２のＹＥＳ）、コールセンタ通信手段６０２ａは、使用者に初期設定を継続させるために、Ｓ７０７に戻り、現在の初期設定情報を表示する。
（３９）以上が表示／入力装置７２０の動作である。
【０１３０】
この実施の形態７による情報組込み機器の初期設定方式では、表示／入力装置からコールセンタに現在の情報組込み機器の初期設定情報を送信し、かつコールセンタから送信された初期設定情報を表示／入力装置が受信し、それを情報組込み機器の初期設定情報として設定したので、保守担当者自身が情報組込み機器７１０の最新情報の参照と設定を行うことができ、使用者の手を煩わせずより簡易に情報組込み機器の初期設定ができる情報組込み機器の初期設定方式を得ることができる。
【０１３１】
実施の形態８．
次に図４２〜図４５を用いて実施の形態８における情報組込み機器の初期設定方式について説明する。実施の形態８は、一つの情報組込み機器が複数の表示／入力装置に初期設定プログラム１１を送信する実施形態である。初期設定プログラム１１を受信したそれぞれの表示／入力装置は、初期設定プログラム１１を起動する。使用者から入力を受け付けた表示／入力装置は、他の表示／入力装置に設定中であることを通知（実行中通知の一例）する。この通知を受けた他の表示／入力装置は、設定処理を中止する。
【０１３２】
図４２は実施の形態８における初期設定方式の全体構成図である。本実施の形態８では、表示／入力装置が複数存在する以外は、実施の形態１を示す図１と同じ構成である。図４２は、表示／入力装置１２１、及び表示／入力装置１２１の２台を示している。情報組込み機器１１０等の内部構成および表示／入力装置１２０、表示／入力装置１２１の内部構成は、実施の形態１と同じでる。
【０１３３】
図４３は、実施の形態８の概要を説明するための図である。
（１）情報組込み機器１１０は、複数の表示／入力装置１２０、１２１に初期設定プログラム１１と装置情報を送信する。装置情報とは、表示／入力装置１２０，１２１の後述のように、例えばＩＰアドレスである。
（２）初期設定プログラム１１を受信したそれぞれの表示／入力装置１２０，１２１は、初期設定プログラム１１を起動する。
（３）図において表示／入力装置１２０が使用者から入力を受け付けた場合、表示／入力装置１２０は、表示／入力装置１２１に対して、自己（表示／入力装置１２０）が設定中であることを通知する。
（４）表示／入力装置１２１は、この通知を受けた場合、起動した初期設定プログラム１１による設定処理を中止する。以上により、ユーザは複数存在する表示／入力装置のうち、自由に表示／入力装置を選択するだけで、他の表示／入力装置の動作を中止することができる。
【０１３４】
次に本実施の形態８における情報組込み機器１１０の動作を図４４を用いて説明する。図４４は実施の形態１の図１０に対してＳ８０５の内容が異なる他は同様である。
（１）情報組込み機器１１０に電源が入ると、まず組込側機器制御部４が動作し、設定情報領域１９の内容が設定されていないかチェックする（Ｓ８０１）。
（２）設定情報領域１９に設定情報が格納されていた場合（Ｓ８０１でのＮＯの場合）、初期設定済みであるので、通常の情報組込み機器としての動作を実行する（Ｓ８０２）。
（３）そして、電源ＯＦＦボタンをチェックし（Ｓ８０３）、押されていれば情報組込み機器としての動作を終了し（Ｓ８０３のＹＥＳの動作）、押されなければ、そのまま情報組込み機器としての動作を継続する（Ｓ８０３のＮＯの動作）。
【０１３５】
（４）Ｓ８０１にて、設定情報領域１９に設定情報が格納されていなかった場合（Ｓ８０１のＹＥＳの動作）、組込側機器制御部４は、初期設定部５に制御を移す。
（５）初期設定部５は、まず表示／入力装置検索部７を使って、ネットワーク１３０上に接続されている表示／入力装置１２０，１２１を検索する（Ｓ８０４）。
（６）この時、表示／入力装置検索部７は、応対した表示／入力装置１２０の情報を初期設定部５に伝達する。
（７）本実施の例では、表示／入力装置が複数（１２０及び１２１）あるので、表示／入力装置検索部７は、表示／入力装置１２０および１２１の情報をそれぞれ初期設定部５に伝達する。
【０１３６】
（８）Ｓ８０４にてネットワーク１３０上に接続されている表示／入力装置１２０および１２１が判明すると、初期設定部５は、プログラム送信部６に指示し、組込側通信部８を用いて組込側プログラム格納部１０にある初期設定プログラム１１を表示／入力装置１２０及び１２１それぞれに送信する（Ｓ８０５）。
（９）この時、初期設定プログラム１１とともに、表示／入力装置の装置情報（１２０および１２１の機器情報）を送信する。
（１０）装置情報としてはＴＣＰ／ＩＰにおけるＩＰアドレスが考えられる。
（１１）初期設定プログラム１１が表示／入力装置１２０、１２１に送信されると、表示／入力装置１２０，１２１では、初期設定プログラム１１が起動され、初期設定処理が実施される。
（１２）そして、使用者が操作している表示／入力装置（本実施の形態８では表示／入力装置１２０を想定する）から、コマンドおよび付随する設定データが送信される。
（１３）次に、初期設定部５は、表示／入力装置１２０から送られてくる、コマンドおよび付随データを受信する（Ｓ８０６）。
（１４）次にコマンドが終了コマンドか否かをチェックし（Ｓ８０７）、終了コマンドでない（Ｓ８０７のＮＯ）場合、設定コマンドであり、付随するデータが設定データであるので、初期設定部５は、設定データを設定情報領域１９に設定し、８０６に戻って、次のコマンドを受信する。
（１５）Ｓ８０７にて、コマンドが終了コマンドである（Ｓ８０７のＹＥＳ）場合、初期設定手段は終了し、組込側機器制御部４に制御が戻り、通常の情報組込み機器としての動作を実行する（Ｓ８０２）。
（１６）そして、電源ＯＦＦボタンをチェックし（Ｓ８０３）、押されていれば情報組込み機器としての動作を終了し（Ｓ８０３のＹＥＳの動作）、押されなければ、そのまま情報組込み機器としての動作を継続する（Ｓ８０３のＮＯの動作）。
（１７）以上が情報組込み機器１１０の動作である。
【０１３７】
次に、この実施の形態における表示／入力装置１２０の動作を図４５を用いて説明する。図４５は、実施の形態１の図１１に対して、Ｓ８１８、Ｓ８１９、Ｓ８２６を追加した形である。次の（１）〜（９）は実施の形態１を示す図１１と同様である。
（１）表示／入力装置１２０に電源が入ると、まず装置側機器制御部２０が動作し、通常の表示／入力装置としての動作を実行する（Ｓ８１１）。
（２）そして、情報組込み機器から「機能情報要求」が来ているかチェックする（Ｓ８１２）。
（３）「機能情報要求」が来ていない場合（Ｓ８１２のＮＯ）、次に電源ボタンが押されたかチェックする（Ｓ８１３）。
（４）電源ボタンが押されている場合（Ｓ８１３のＹＥＳ）、表示／入力装置１２０は終了し、電源ボタンが押されていない場合（Ｓ８１３のＮＯ）、再度Ｓ８１１に戻って、通常の表示／入力装置としての動作を継続する。
（５）Ｓ８１２にて、「機能情報要求」が来ている場合（Ｓ８１２のＹＥＳ）、装置側機器制御部２０は、装置側通信部２４を使って情報組込み機器１１０に対し、表示／入力装置であることと、自身の識別子を情報組込み機器１１０に送信する（Ｓ８１４）。
（６）次に、装置側機器制御部２０は、装置側プログラム受信部２３を使って、情報組込み機器１１０から送信される初期設定プログラム１１を受信する（Ｓ８１５）。
（７）この時、装置側プログラム受信部２３は、装置側通信部２４を使って初期設定プログラム１１を受信し、装置側プログラム格納部２５に初期設定プログラム１１ａとして格納する。
（８）その後、装置側機器制御部２０は装置側プログラム格納部２５に格納された初期設定プログラム１１ａを起動する（Ｓ８１６）。
（９）これにより初期設定プログラムに制御が移る。
【０１３８】
（１０）初期設定プログラム１１ａが起動すると、設定制御手段１２ａが動作する。
（１１）設定制御手段１２ａは、まず、表示操作手段１４ａを使って現在の設定情報を表示／入力装置１２０の画面に表示する（Ｓ８１７）。
（１２）次に設定制御手段１２ａは、入力操作手段１３ａを使ってユーザから何らかの入力があるかチェックする（Ｓ８１８）。
（１３）何らかの入力がある場合（Ｓ８１８のＹＥＳ）、Ｓ８１５にて初期設定プログラム１１ａとともに情報組込み機器１１０から渡された表示／入力装置１２１の機器情報（表示／入力装置１２１のＩＰアドレス）を使用して、表示／入力装置１２１に対し、表示／入力装置１２０が初期設定中であることを送信する（実行中通知）（Ｓ８１９）。
（１４）これにより表示／入力装置１２１は、他の表示／入力装置（この例では、表示／入力装置１２０）が、初期設定中であることがわかり、初期設定プログラム１１ａの動作を中止し、本来の表示／入力装置の動作に戻る。
【０１３９】
（１５）次に設定制御手段１２ａは入力操作手段１３ａを使って、使用者からの設定情報を取得する（Ｓ８２０）。
（１６）使用者からの入力情報を取得すると、設定制御手段１２ａは、その設定情報が終了を指示するものか判断する（Ｓ８２１）。
（１７）設定情報が終了を意味するものでない場合（Ｓ８２１のＮＯ）、設定制御手段１２ａは、装置側通信部２４を使い、情報組込み機器１１０に設定変更コマンドとともに変更する情報を送信し（Ｓ８２１）、表示操作手段１４ａを使って現在の設定情報を表示／入力装置１２０の画面に表示する（Ｓ８２３）。
（１８）そして、Ｓ８２０に戻り、再度入力操作手段１３ａを使って、使用者からの設定情報を取得する。
（１９）Ｓ８２０からＳ８２３の繰り返しにより、使用者は情報組込み機器１１０の初期設定を順に実施していく。
【０１４０】
（２０）Ｓ８２１にて、設定情報が終了を意味するものである場合（Ｓ８２１のＹＥＳ）、設定制御手段１２ａは、装置側通信部２４を使い、情報組込み機器１１０に終了コマンドを送信する（Ｓ８２４）。
（２１）そして、画面を初期設定プログラム１１ａが動作する前に戻し、初期設定プログラム１１ａの動作を終了する（Ｓ８２５）。
（２２）これにより装置側機器制御部２０に制御が戻る。
【０１４１】
（２３）Ｓ８１８にてユーザから何も入力がない場合（Ｓ８１８のＮＯ）、設定制御手段１２ａは、他の表示／入力装置から初期設定中である送信（実行中通知）が送られてきたかチェックする（Ｓ８２６）。
（２４）もし、表示／入力装置１２１を使って使用者が初期設定している場合、表示／入力装置１２１の初期設定プログラム１１ａの動作Ｓ８１９にて、表示／入力装置１２０に初期設定中であることを示す送信がなされる。
（２５）Ｓ８２６にて、他の表示／入力装置から初期設定中であることを示す送信がされていない場合（Ｓ８２６のＮＯ）、再度Ｓ８１８に戻って、使用者から何らかの入力があるかチェックする。
（２６）これにより、使用者から何らかの入力があるか、または他の表示／入力装置から初期設定中を意味する送信があるまで、表示／入力装置は待つことになる。
【０１４２】
（２７）Ｓ８２６にて他の表示／入力装置から初期設定中であることを示す送信が来た場合（Ｓ８２６のＹＥＳ）、使用者は他の表示／入力装置で初期設定しており、表示／入力装置１２０を使っては初期設定しないので、画面を初期設定プログラム１１ａが動作する前に戻し、初期設定プログラム１１ａの動作を終了する（Ｓ８２５）。
（２８）これにより装置側機器制御部２０に制御が戻る。
【０１４３】
（２９）装置側機器制御部２０に制御が戻ると、装置側機器制御部２０は表示／入力装置１２０の電源ボタンが押されたかチェックする（Ｓ８１３）。
（３０）電源ボタンが押されている場合（Ｓ８１３のＹＥＳ）、表示／入力装置１２０は終了し、電源ボタンが押されていない場合（Ｓ８１３のＮＯ）、Ｓ８１１に戻って、通常の表示／入力装置としての動作を継続する。
（３１）以上が、表示／入力装置１２０の動作である。
【０１４４】
この実施の形態８による情報組込み機器の初期設定方式では、表示／入力装置が他の表示／入力装置の機器情報を把握し、ユーザから何らかの入力がある場合、他の表示／入力装置に初期設定中であることを示す送信を行い、ユーザから何も入力がなく、他の表示／入力装置から初期設定中であることを示す送信を受信した場合、通常の表示／入力装置の動作に戻るようにしたので、複数の表示／入力装置が存在する場合に、使用者は一番使いやすい表示／入力装置を使って初期設定ができ、使用者がより簡易に初期設定ができる情報組込み機器の初期設定方式を得ることができる。
【０１４５】
実施の形態９．
図４６〜図５１を用いて、実施の形態９における情報組込み機器のについて説明する。実施の形態９は、表示／入力装置９２０の装置側プログラム格納部２５が複数の初期設定プログラムを格納する実施形態である。実施の形態９の初期設定方式の全体構成は、実施の形態１と同じであり、図１で示される。
【０１４６】
図４６は、実施の形態９における情報組込み機器９１０の内部構成図である。実施の形態９の情報組込み機器９１０の内部構成は、初期設定プログラム１１内に、情報組込み機器９１０の「機能情報」を保持しておく機能情報領域９０１が追加された以外は、実施の形態１と同じである。ここで「機能情報」とは、「電子レンジ」、「エアコン」、「ＤＶＤ／ＨＤＤレコーダ」などの情報組込み機器のそれぞれを識別可能な情報、例えば機器ＩＤである。後述の図５０に示す表示画面のように、ユーザからどの機器を設定するかを指示されたときに、表示／入力装置は、装置側プログラム格納部２５内の各初期設定プログラム（図４７の初期設定プログラム１１ａ、１１ｂ、１１ｃ）の機能情報領域内にある機能情報を参照し、該当する初期設定プログラムを決定し、起動する。同一機能を識別するために、さらに「メーカ情報」や「型番」などの情報も格納しても構わない。
【０１４７】
図４７は、実施の形態９における表示／入力装置９２０の内部構成図である。実施の形態９の表示／入力装置９２０では、装置側プログラム格納部２５に、複数の初期設定プログラム１１ａ、１１ｂ、１１ｃが格納できる構成になっている。各初期設定プログラム１１ａ、１１ｂ、１１ｃ内には、各初期設定プログラムが属する情報組込み機器９１０、９１１，９１２に対応する前記「機能情報」を保持する機能情報領域９０１ａが存在する以外は、実施の形態１の表示／入力装置１２０と同じ構成である。
【０１４８】
図４８は、実施の形態９の概要を説明するための図である。ステップ番号は図４９に対応している。
（１）表示／入力装置９２０は、リモコンの機器設定ボタンが押された場合、後述の図５０に示すように、装置側プログラム格納部２５に初期設定プログラム１１が格納されている情報組込み機器を、例えばＣＲＴ表示装置１５０に表示する（Ｓ９１６）。
（２）表示／入力装置９２０は、図５０のように表示した電子レンジ、エアコンなどの情報組込み機器のうち初期設定を希望する機器の選択をユーザから受け付ける（Ｓ９１６）
（３）表示／入力装置９２０は、ユーザから選択を受け付けた情報組込み機器に、その情報組込み機器が保有する現在の初期設定情報の送信を要求する（Ｓ９１７）。
（４）表示／入力装置９２０は要求した情報組込み機器から現在の初期設定情報を受信すると、その機器に対応する初期設定プログラムを起動する。以下設定処理が開始される。
【０１４９】
次に、この実施の形態９における表示／入力装置９２０の動作を図４９、および図５０を用いて説明する。図４９は、表示／入力装置９２０の動作を示すフローチャートである。図４９は、実施の形態１における図１１に対して、Ｓ９０２、Ｓ９１４〜Ｓ９１９が追加された形となっている。
（１）表示／入力装置９２０に電源が入ると、まず装置側機器制御部２０が動作し、通常の表示／入力装置としての動作を実行する（Ｓ９０１）。
（２）そして、入力部２１を使ってリモコンの「情報組込み機器設定ボタン」（図６）が押されたかをチェックする（Ｓ９０２）。
（３）「情報組込み機器設定ボタン」は、図６に示したように、予め表示／入力装置９２０のリモコンに割り付けられている。
（４）「リモコンの情報組込み機器設定ボタン」が押されていない場合（Ｓ９０２のＮＯ）、装置側機器制御部２０は、情報組込み機器から「機能情報要求」が来ているかチェックする（Ｓ９０３）。
（５）「機能情報要求」が来ていない場合（Ｓ９０３のＮＯ）、次に電源ボタンが押されたかチェックする（Ｓ９０４）。
（６）電源ボタンが押されている場合（Ｓ９０４のＹＥＳ）、表示／入力装置９２０は終了し、電源ボタンが押されていない場合（Ｓ９０４のＮＯ）、再度Ｓ９０１に戻って、通常の表示／入力装置としての動作を継続する。
（７）Ｓ９０３にて、「機能情報要求」が来ている場合（Ｓ９０３のＹＥＳ）、装置側機器制御部２０は、装置側通信部２４を使って情報組込み機器９１０に対し、表示／入力装置であることと、自身の識別子を情報組込み機器９１０に送信する（Ｓ９０５）。
（８）次に、装置側機器制御部２０は、装置側プログラム受信部２３を使って、情報組込み機器９１０から送信される初期設定プログラム１１を受信する（Ｓ９０６）。
（９）この時、装置側プログラム受信部２３は、装置側通信部２４を使って初期設定プログラム１１を受信し、装置側プログラム格納部２５内の複数の格納領域のうち、空いている領域に初期設定プログラム１１ａとして格納する。
【０１５０】
（１０）もし、装置側プログラム格納部２５内で空いている格納領域が存在しない場合は、一番最初に格納していたプログラムを消去し、そこにプログラムを格納する。
（１１）一番最初に格納しているプログラムを判別するには、各格納領域に、ダウンロードした時刻を保持する領域を設け、それを元に計算すれば良い。
【０１５１】
（１２）その後、装置側機器制御部２０は装置側プログラム格納部２５に格納された初期設定プログラム１１ａを起動する（Ｓ９０７）。これにより初期設定プログラムに制御が移る。
（１３）初期設定プログラム１１ａが起動すると、設定制御手段１２ａが動作する。
（１４）設定制御手段１２ａは、まず、表示操作手段１４ａを使って現在の設定情報を表示／入力装置９２０の画面に表示する（Ｓ９０８）。
（１５）次に設定制御手段１２ａは入力操作手段１３ａを使って、使用者からの設定情報を取得する（Ｓ９０９）。
（１６）使用者からの入力情報を取得すると、設定制御手段１２ａは、その設定情報が終了を指示するものか判断する（Ｓ９１０）。
（１７）設定情報が終了を意味するものでない場合（Ｓ９１０のＮＯ）、設定制御手段１２ａは、装置側通信部２４を使い、情報組込み機器９１０に設定変更コマンドとともに変更する情報を送信する（Ｓ９１１）。
（１８）そして、Ｓ９０８に戻り再度、表示操作手段１４ａを使って、設定情報が更新された現在の設定情報を画面に表示する。
（１９）Ｓ９０８からＳ９１１の繰り返しにより、使用者は情報組込み機器９１０の初期設定を順に実施していく。
【０１５２】
（２０）Ｓ９１０にて、設定情報が終了を意味するものである場合（Ｓ９１０のＹＥＳ）、設定制御手段１２ａは、装置側通信部２４を使い、情報組込み機器９１０に終了コマンドを送信する（Ｓ９１２）。
（２１）そして、画面を初期設定プログラム１１ａが動作する前に戻し、初期設定プログラム１１ａの動作を終了する（Ｓ９１３）。
（２２）これにより装置側機器制御部２０に制御が戻る。
【０１５３】
（２３）Ｓ９０２にて、「情報組込み機器設定ボタン」が押されている場合（Ｓ９０２のＹＥＳ）、装置側機器制御部２０は、装置側プログラム格納部２５に保持されている初期設定プログラム１１ａ、１１ｂ、１１ｃの機能情報領域９０１ａ、９０１ｂ、９０１ｃを参照し、どの情報組込み機器の初期設定プログラムが格納されているか把握する（Ｓ９１４）。
（２４）そして、表示部２２を使って、表示／入力装置９２０の画面上（ＣＲＴ表示装置１５０）に、図５０のような、情報組込み機器設定選択画面を表示する（Ｓ９１５）。
（２５）図５０の例では、装置側プログラム格納部２５に、電子レンジ・エアコン・ＤＶＤ／ＨＤＤレコーダ・冷蔵庫の初期設定プログラムが格納されている場合である。表示／入力装置９２０の画面３０に、電子レンジ・エアコン・ＤＶＤ／ＨＤＤレコーダ・冷蔵庫の設定を選択できるような「情報組込み機器設定表示部」が出力される。
（２６）使用者が「情報組込み機器設定表示部」を参照することで、複数の情報組込み機器の設定を選択することが可能となる。
【０１５４】
（２７）次に、装置側機器制御部２０は、入力部２１を使って、使用者が選択した「リモコンボタン情報」を取得し、どの情報組込み機器を選択（起動要求の一例）したかを把握する（Ｓ９１６）。
（２８）そして、選択（起動要求）された初期設定プログラムに対応する情報組込み機器９１０に対して、その情報組込み機器９１０が保有する現在の初期設定情報の送信要求を行う（Ｓ９１７）。
（２９）情報組込み機器９１０からは、設定情報領域１９に格納されている設定情報が送信される。
（３０）装置側機器制御部２０は、情報組込み機器９１０の送信した前記設定情報を装置側通信部２４により受信する（Ｓ９１８）。
（３１）装置側機器制御部２０は、この設定情報を受信すると初期設定プログラム１１ａを起動する（Ｓ９１９）。初期設定プログラム初期設定プログラム１１ａは、Ｓ９１８で取得した設定情報を元に、表示部２２および入力部２１を使って、使用者に現在の設定情報を表示するとともに、使用者がリモコンで設定情報を変更した場合、それを情報組込み機器９１０に送信、使用者が設定を終了すると、情報組込み機器９１０に終了を送信した後、画面を元に戻し、初期設定プログラムを終了させ、機器制御手段に制御を戻す（Ｓ９０８〜Ｓ９１３）。
【０１５５】
（３２）装置側機器制御部２０に制御が戻ると、装置側機器制御部２０は表示／入力装置９２０の電源ボタンが押されたかチェックする（Ｓ９０４）。
（３３）電源ボタンが押されている場合（Ｓ９０４のＹＥＳ）、表示／入力装置９２０は終了し、電源ボタンが押されていない場合（Ｓ９０４のＮＯ）、Ｓ９０１に戻って、通常の表示／入力装置としての動作を継続する。
（３４）以上が、表示／入力装置９２０の動作である。
【０１５６】
次に、この実施の形態における情報組込み機器９１０の動作を図５１を用いて説明する。図５１は、実施の形態１を示す図１０に対してＳ９２８、Ｓ９３０のループを追加したかたちとなっている。
（１）情報組込み機器９１０に電源が入ると、まず組込側機器制御部４が動作し、設定情報領域１９の内容が設定されていないかチェックする（Ｓ９２１）。
（２）設定情報領域１９に設定情報が格納されていた場合（Ｓ９２１でのＮＯの場合）、初期設定済みであるので、通常の情報組込み機器としての動作を実行する（Ｓ９２７）。
（３）そして、組込側機器制御部４は、表示／入力装置９２０から現在の設定情報送信要求が来たかチェックする（Ｓ９２８）。
（４）送信要求が来ていない場合（Ｓ９２８のＮＯ）、電源ＯＦＦボタンをチェックし（Ｓ９２９）、押されていれば情報組込み機器としての動作を終了し（Ｓ９２９のＹＥＳの動作）、押されなければ、そのまま情報組込み機器としての動作を継続する（Ｓ９２７のＮＯの動作）。
【０１５７】
（５）Ｓ９２１にて、設定情報領域１９に設定情報が格納されていなかった場合（Ｓ９２１のＹＥＳの動作）、組込側機器制御部４は、初期設定部５に制御を移す。
（６）初期設定部５は、まず表示／入力装置検索部７を使って、ネットワーク１３０上に接続されている表示／入力装置９２０を検索する（Ｓ９２２）。
（７）ネットワーク１３０上に接続されている表示／入力装置９２０が判明すると、初期設定部５は、プログラム送信部６に指示し、組込側通信部８を用いて組込側プログラム格納部１０にある初期設定プログラム１１を表示／入力装置９２０に送信する（Ｓ９２３）。
（８）初期設定プログラム１１が表示／入力装置に送信されると、表示／入力装置９２０では初期設定プログラム１１が起動され、初期設定処理が実施される。
（９）その後、初期設定部５は、表示入力装置から送られてくる、コマンドおよび付随データを受信する（Ｓ９２４）。
（１０）次にコマンドが終了コマンドか否かをチェックし（Ｓ９２５）、終了コマンドでない（Ｓ９２５のＮＯ）場合、設定コマンドであり、付随するデータが設定データであるので、初期設定部５は、設定データを設定情報領域１９に設定し（Ｓ９２６）、Ｓ９２４に戻って、次のコマンドを受信する。
（１１）Ｓ９２５にて、コマンドが終了コマンドである（Ｓ９２５のＹＥＳ）場合、初期設定手段は終了し、組込側機器制御部４に制御が戻り、通常の情報組込み機器としての動作を実行する（Ｓ９２７）。
【０１５８】
（１２）Ｓ９２８にて、表示／入力装置９２０から現在の設定情報の送信要求が来た場合（Ｓ９２８のＹＥＳ）、組込側機器制御部４は、初期設定部５に制御を移す。
（１３）初期設定部５は、設定情報領域１９にある情報を表示／入力装置９２０に送信する（Ｓ９３０）。
（１４）そして、Ｓ９２４に移り、表示／入力装置からコマンドを受信し、初期設定処理を行う。
（１５）以上が情報組込み機器９１０の動作である。
【０１５９】
この実施の形態９による情報組込み機器の初期設定方式では、表示／入力装置に複数の情報組込み機器の初期設定プログラムを保持する領域を設け、各初期設定プログラムに、対応する情報組込み機器の機器情報を保持する機能情報領域を設け、使用者からの指示により、表示／入力装置が機能情報領域を使って各初期設定プログラムを選択して起動するようにしたので、初期設定済みの情報組込み機器に対しても、使用者が任意に情報組込み機器の初期設定ができる、情報組込み機器の初期設定方式を得ることができる。
【０１６０】
なお、本実施の形態では、表示／入力装置のプログラム格納領域内で、空いている領域が存在しない場合、一番古くから格納されているプログラム領域を消去し、そこに入れるとしているが、これを、プログラム格納領域内に格納領域カウンタを設け、消去する毎にカウンタを１またはー１増加することで、先頭から順に消去し、そこに入れるとしても同様な情報組込み機器の初期設定方式を得ることができる。また、各格納領域にカウンタを設け、アクセスがあるたびにカウンタを増加することで、一番アクセスが少ない領域を消去し、そこに入れるとしても同様な情報組込み機器の初期設定方式を得ることができる。
【０１６１】
実施の形態１０．
図５２〜図５６を用いて、実施の形態１０における情報組込み機器の初期設定方式について説明する。実施の形態１０は、情報組込み機器と表示／入力装置との間で初期設定プログラム１１のやり取りは行わない。情報組込み機器と表示／入力装置との間では所定のプロトコルによる通信を行う。実施の形態１０の初期設定方式の全体構成は、実施の形態１と同じであり、図１で示される。
【０１６２】
図５２は、実施の形態９の概要を説明するための図である。ステップ番号は後述する図５５、図５６に対応している。
（１）情報組込み機器１０１０は、所定のプロトコルに基づき、表示／入力装置１０２０に画面情報を含むデータを送信する（Ｓ１００６）。
（２）表示／入力装置１０２０は、受信したデータを解釈する（Ｓ１０１６）。
（３）表示／入力装置１０２０は、受信した画面情報に基づき、使用者から入力情報を取得する（Ｓ１０１８）。そして、取得した入力情報を含むデータを、前記所定のプロトコルに基づき情報組込み機器１０１０に送信する（Ｓ１０１９）。
（４）情報組込み機器１０１０は、入力情報を含むデータを受信して解釈し（Ｓ１００８）、入力データを使用して設定情報を生成する（Ｓ１００９）。
【０１６３】
図５３は、実施の形態１０における情報組込み機器１０１０の内部構成図である。実施の形態１０の情報組込み機器１の内部構成では、実施の形態１に対して、プログラム送信部６および組込側プログラム格納部１０がなくなっている。また、初期設定部５（設定情報生成部の一例）は、デフォルト格納部１６（第１格納部の一例）を備える。デフォルト格納部１６は、初期設定情報のデフォルト値を格納している。このデフォルト値を用いて、後述の「現在の設定情報画面」が作成される。一方、組込側プロトコル制御部１００１、入力情報取得部１００２、画面作成部１００３が追加されている。
（１）組込側プロトコル制御部１００１は、情報組込み機器１０１０と表示／入力装置１０２０との間における初期設定処理のやり取りを処理する。
（２）入力情報取得部１００２は、使用者が表示／入力装置１０２０を使って入力した情報を取得する。
（３）画面作成部１００３は、表示／入力装置１０２０に出力する画面を作成する。
【０１６４】
図５４は、実施の形態１０における表示／入力装置１０２０の内部構成図である。実施の形態１０の表示／入力装置１０２０の内部構成では、実施の形態１に対して、装置側プログラム受信部２３および装置側プログラム格納部２５がなくっている。一方、装置側プロトコル制御部１００４、入力操作部１００５、表示操作部１００６が追加されている。
（１）装置側プロトコル制御部１００４は、情報組込み機器１０１０と表示／入力装置１０２０間での初期設定処理のやり取りを処理する。
（２）入力操作部１００５は、装置側プロトコル制御部１００４で解釈された情報組込み機器１０１０の指示内容に基づき入力部２１を操作する。
（３）表示操作部１００６は、表示部２２を操作する。
【０１６５】
次に、この実施の形態１０における情報組込み機器１０１０の動作を図５５を用いて説明する。
（１）情報組込み機器１０１０に電源が入ると、まず組込側機器制御部４が動作し、設定情報領域１９の内容が設定されていないかチェックする（Ｓ１００１）。
（２）設定情報領域１９に設定情報が格納されていた場合（Ｓ１００１でのＮＯの場合）、初期設定済みであるので、通常の情報組込み機器としての動作を実行する（Ｓ１００２）。
（３）そして、電源ＯＦＦボタンをチェックし（Ｓ１００３）、押されていれば情報組込み機器としての動作を終了し（Ｓ１００３のＹＥＳの動作）、押されなければ、そのまま情報組込み機器としての動作を継続する（Ｓ１００３のＮＯの動作）。
【０１６６】
（４）Ｓ１００１にて、設定情報領域１９に設定情報が格納されていなかった場合（Ｓ１００１のＹＥＳの動作）、組込側機器制御部４は、初期設定部５に制御を移す。
（５）初期設定部５は、まず表示／入力装置検索部７を使って、ネットワーク１３０上に接続されている表示／入力装置１０２０を検索する（Ｓ１００４）。
（６）表示／入力装置検索部７は、応対した表示／入力装置１０２０の情報を初期設定部５に伝達する。
（７）ネットワーク１３０上に接続されている表示／入力装置１０２０が判明すると、初期設定部５は、画面作成部１００３に指示し、初期設定画面情報を作成する（Ｓ１００５）。
（８）画面作成部１００３は、図１２にあるような表示／入力装置１０２０に対する画面を作成する。
（９）次に初期設定部５は、組込側プロトコル制御部１００１を使って、画面作成部１００３が作成した初期設定画面情報を表示／入力装置１０２０に送信する（Ｓ１００６）。
（１０）組込側プロトコル制御部１００１は、画面情報をネットワーク１３０上に流せるデータに変換し、かつ画面表示コマンドを付加し、組込側通信部８を使って、表示／入力装置１０２０に送信する。
（１１）表示／入力装置１０２０では、装置側通信部２４が受信したネットワーク１３０上のデータを、装置側プロトコル制御部１００４が解釈し、画面表示コマンドと画面情報に変換し、装置側機器制御部２０を介して、表示操作部１００６に画面情報を渡す。
（１２）表示／入力装置１０２０の表示操作部１００６は表示部２２を使って、画面情報を表示／入力装置１０２０の画面に表示する。
（１３）これにより、画面作成部１００３が作成した画面が表示／入力装置１０２０の画面に表示される。
（１４）次に表示／入力装置１０２０の装置側機器制御部２０は、入力操作部１００５に指示し、入力部２１を使って、使用者がリモコンのどのキーを押したかを判定し、入力情報を生成する。
（１５）そして、表示／入力装置１０２０の装置側機器制御部２０は、装置側プロトコル制御部１００４を使って、作成した入力情報を情報組込み機器１０１０に送信する。
（１６）表示／入力装置１０２０の装置側プロトコル制御部１００４は、入力情報をネットワーク１３０上に流せるデータに変換し、かつ入力情報送信コマンドを付加し、装置側通信部２４を使って、情報組込み機器１０１０に送信する。
（１７）情報組込み機器１０１０は、装置側通信部２４が受信したネットワーク１３０上のデータを、組込側プロトコル制御部１００１が解釈し、入力情報と入力情報送信コマンドに変換し、入力情報取得部１００２に渡す。
（１８）これにより、入力情報取得部１００２は、表示／入力装置１０２０のリモコンから使用者が入力したキーの情報を取得する（Ｓ１００７）。
【０１６７】
（１９）次に初期設定部５は、入力情報取得部１００２が取得した入力情報を解釈し、入力が終了を意味するものかチェックする（Ｓ１００８）。
（２０）終了を意味するものではない（Ｓ１００８のＮＯ）場合、入力は設定に関するものであり、初期設定部５は、入力情報（生成情報の一例）を元に設定情報を生成し、生成した設定情報を設定情報格納部９（第２格納部）の設定情報領域に格納する（Ｓ１００９）。
（２１）そして、Ｓ１００５に戻って、再度、現在の設定情報画面を作成し次の設定処理を行う。
【０１６８】
（２２）Ｓ１００８にて、入力が終了を意味するものである場合（Ｓ１００８のＹＥＳ）場合、装置側プロトコル制御部１００４を使って、終了要求を表示／入力装置に送信し（Ｓ１０１０）、初期設定部５は処理を終了する。
（２３）初期設定部５が終了すると、組込側機器制御部４に制御が戻り、通常の情報組込み機器としての動作を実行する（Ｓ１００２）。
（２４）そして、電源ＯＦＦボタンをチェックし（Ｓ１００３）、押されていれば情報組込み機器としての動作を終了し（Ｓ１００３のＹＥＳの動作）、押されなければ、そのまま情報組込み機器としての動作を継続する（Ｓ１００３のＮＯの動作）。
（２５）以上が情報組込み機器１０１０の動作である。
【０１６９】
次に、この実施の形態における表示／入力装置１０２０の動作を図５６を用いて説明する。
（１）表示／入力装置１０２０に電源が入ると、まず装置側機器制御部２０が動作し、通常の表示／入力装置としての動作を実行する（Ｓ１０１１）。
（２）「機能情報要求」が来ていない場合（Ｓ１０１２のＮＯ）、次に電源ボタンが押されたかチェックする（Ｓ１０１３）。
（３）電源ボタンが押されている場合（Ｓ１０１３のＹＥＳ）、表示／入力装置１０２０は終了し、電源ボタンが押されていない場合（Ｓ１０１３のＮＯ）、再度Ｓ１０１１に戻って、通常の表示／入力装置としての動作を継続する。
【０１７０】
（４）Ｓ１０１２にて、「機能情報要求」が来ている場合（Ｓ１０１２のＹＥＳ）、装置側機器制御部２０は、装置側通信部２４を使って情報組込み機器１０１０に対し、表示／入力装置であることと、自身の識別子を情報組込み機器１０１０に送信する（Ｓ１０１４）。
（５）次に機器制御手段は、装置側プロトコル制御部１００４を使って、情報組込み機器１０１０から送信されてくるデータを受信する（Ｓ１０１５）。
（６）装置側プロトコル制御部１００４では、装置側通信部２４を使い、ネットワーク１３０を経由して情報組込み機器１０１０から送信されるデータを解釈し、制御コマンドとデータに変換し、装置側機器制御部２０に伝達する。
（７）装置側プロトコル制御部１００４が情報組込み機器１０１０から来たデータを受信すると、装置側機器制御部２０は、送られてきた制御コマンドが終了を意味するものか判断する。
（８）制御コマンドが終了を意味するものでない場合（Ｓ１０１６のＮＯ）、装置側機器制御部２０は、コマンドを画面表示コマンドと解釈し、表示操作部１００６にコマンドに付随する画面情報を渡し、表示／入力装置１０２０の画面に情報組込み機器１０１０から渡された画面情報を表示する（Ｓ１０１７）。
（９）表示操作部１００６は、渡された画面情報を元に、表示部２２を使って、表示／入力装置１０２０の画面を更新する。これにより、情報組込み機器の初期設定情報画面が表示される。
（１０）次に装置側機器制御部２０は、入力操作部１００５を使って、表示／入力装置１０２０のリモコンからの入力情報（生成情報の一例）を取得する（Ｓ１０１８）。
（１１）入力操作部１００５は、入力部２１を使って、表示／入力装置１０２０のリモコンのどのキーを使用者が押したか判断し、それを入力情報として、装置側機器制御部２０に伝達する。
（１２）入力情報を取得すると、装置側機器制御部２０は、装置側プロトコル制御部１００４を使って、入力情報を情報組込み機器１０１０に送信する（Ｓ１０１９）。
（１３）かつ入力情報送信コマンドを付加し、装置側通信部２４を使って、情報組込み機器１０１０に送信する。
（１４）情報組込み機器１０１０は、装置側通信部２４が受信したネットワーク１３０上のデータを、組込側プロトコル制御部１００１が解釈し、入力情報と入力情報送信コマンドに変換し、入力情報取得部１００２に渡す。
（１５）これにより、入力情報取得部１００２は、表示／入力装置１０２０のリモコンから使用者が入力したキーの情報を取得する。
（１６）その後、装置側機器制御部２０は、Ｓ１０１５に戻り、再度情報組込み機器１０１０からデータを受信する。
（１７）Ｓ１０１５からＳ１０１９の繰り返しにより、使用者は情報組込み機器１０１０の初期設定を順に実施していく。
【０１７１】
（１８）Ｓ１０１６にて、制御コマンドが終了を意味するものである場合（Ｓ１０１６のＹＥＳ）、装置側機器制御部２０は、画面を初期設定画面が出力される前に戻す（Ｓ１２２）。
（１９）装置側機器制御部２０に制御が戻ると、装置側機器制御部２０は表示／入力装置１０２０の電源ボタンが押されたかチェックする（Ｓ１０１３）。
（２０）電源ボタンが押されている場合（Ｓ１０１３のＹＥＳ）、表示／入力装置１０２０は終了し、電源ボタンが押されていない場合（Ｓ１０１３のＮＯ）、Ｓ１０１１に戻って、通常の表示／入力装置としての動作を継続する。
（２１）以上が、表示／入力装置１０２０の動作である。
【０１７２】
この実施の形態１０による情報組込み機器の初期設定方式では、情報組込み機器と表示／入力装置間で、初期設定処理のやり取りを処理するプロトコル制御手段を設け、表示／入力装置の画面作成および、入力情報の解釈を情報組込み機器側で行うようにしたので、表示／入力装置で情報組込み機器特有のプログラムを実行する必要のない、つまり表示／入力装置で情報組込み機器固有の処理を行う必要のない、情報組込み機器の初期設定方式を得ることができる。
【０１７３】
実施の形態１１．
図５７〜図５９を用いて実施の形態１１の情報組込み機器の初期設定方式について説明する。実施の形態１１は、表示／入力装置の出力を既存のＴＶに表示させる実施形態である。
【０１７４】
図５７は、本実施の形態１０の初期設定方式の全体構成図である。本実施の形態１０では、実施の形態１に対し、従来から使用されており、ネットワーク機能など持たないＴＶ１１０１が追加される。ＴＶ１１０１（画面表示装置の一例）は、放送局からの信号を捉えるアンテナ入力が同軸ケーブル１１０２で、リモコン（入力装置）からの信号を捉えるリモコン受光部が赤外線１１０３で、それぞれ表示／入力装置１１２０に接続される。また、表示／入力装置１１２０には、アンテナと接続する同軸ケーブル１１０４と、ＴＶのリモコンと接続する赤外線１１０５が存在する。他の構成は実施の形態１と同じである。
【０１７５】
図５８は、表示／入力装置１１２０とＴＶ１１０１との接続図および内部構成図である。図において、ＴＶ１１０１は、画面１１０６、アンテナからの信号を入力するアンテナ入力部１１０７、ＴＶ１１０１のリモコンの信号を受信するリモコン受光部１１０８等を備える。ＴＶ１１０１のアンテナ入力部１１０７は、表示／入力装置１１２０と同軸ケーブル１１０２で接続され、ＴＶ１１０１のリモコン受光部１１０８は、表示／入力装置１１２０と赤外線１１０３で接続される。
【０１７６】
図５８を用いて、表示／入力装置１１２０の内部構成を説明する。
（１）映像出力部１１０９（接続部の一例）は、ＴＶ１１０１のアンテナ入力部と同軸ケーブル１１０２で接続され、表示／入力装置１１２０で処理した映像／音声信号を出力する。
（２）アンテナ入力部１１１０は、アンテナと同軸ケーブル１１０４で接続され、アンテナからの映像／音声信号を入力する。このアンテナ入力部１１１０と映像出力部１１０９は、内部結線１１１１で接続されると同時に、初期設定画面を出力する表示部２２とも接続される。
（３）赤外線送信部１１１２は、ＴＶ１１０１のリモコン受光部と赤外線１１０３で接続され、表示／入力装置１１２０で処理した赤外線信号を出力する。
（４）リモコン受光部１１１３は、ＴＶのリモコンと赤外線１１０５で接続され、ＴＶのリモコンからの信号を入力する。リモコン受光部１１１３と赤外線送信部１１１２は、内部結線１１１４と接続されると同時に、ＴＶのチャンネルを変更する制御信号をＴＶ１１０１に送信する表示部２２と、ＴＶ１１０１のリモコンからのキー入力信号を受信する入力部２１とも接続される。
（５）装置側機器制御部２０は、電源ＯＮ／ＯＦＦを管理し、表示／入力装置本来の動作と、情報組込み機器１１０からの初期設定処理の動作を制御する。
（６）装置側プログラム受信部２３は、情報組込み機器１１０から初期設定プログラム１１を受信する。
（７）装置側通信部２４は、ネットワーク１３０上でのデータ通信を行う。装置側通信部２４は、ネットワーク１３０に接続される。
（８）装置側プログラム格納部２５は、情報組込み機器１１０から送られてくる初期設定プログラム１１を格納する。情報組込み機器１１０内から初期設定プログラム１１が送信されると、装置側プログラム格納部２５に初期設定プログラム１１ａとして格納される。なお、情報組込み機器１１０の内部構成は実施の形態１と同じであり、図８に示される。
【０１７７】
装置動作
次に、この実施の形態における表示／入力装置１１２０の動作を図５９を用いて説明する。
（１）表示／入力装置１１２０に電源が入ると、まず装置側機器制御部２０が動作し、アンテナから入力されてくる信号をそのまま映像／音声出力としてＴＶ１１０１に送信する（Ｓ１１０１）。
（２）この時、アンテナからの信号は同軸ケーブル１１０４を通り、表示／入力装置１１２０のアンテナ入力部１１１０を通り、内部結線１１１１を通り、表示／入力装置１１２０の映像出力部１１０９を通り、同軸ケーブル１１０２を通り、ＴＶ１１０１のアンテナ入力部１１０７を通ってＴＶ１１０１に信号が伝達される。
（３）これは、表示／入力装置１１２０の電源がＯＦＦになっている状態でも同様である。
（４）次に装置側機器制御部２０は、リモコンからの信号をそのまま赤外線出力としてＴＶ１１０１に送信する（Ｓ１１０２）。
（５）この時、ＴＶ１００１のリモコンからの信号は、赤外線１１０５を通り、表示／入力装置１１２０のリモコン受光部１１１３を通り、内部結線１１１４を通り、表示／入力装置１１２０の赤外線送信部１１１２を通り、赤外線１１０３を通り、ＴＶ１１０１のリモコン受光部１１０８を通って、ＴＶ１１０１に信号が伝達される。
（６）これも、表示／入力装置１１２０の電源がＯＦＦになっている状態でも同様である。
（７）これらアンテナおよびリモコンの制御により、ＴＶ１１０１は通常のＴＶの動作が実施される。
【０１７８】
（８）次に、装置側機器制御部２０は情報組込み機器１１０から「機能情報要求」が来ているかチェックする（Ｓ１１０３）。
（９）「機能情報要求」が来ていない場合（Ｓ１１０３のＮＯ）、次に電源ボタンが押されたかチェックする（Ｓ１１０４）。
（１０）電源ボタンが押されている場合（Ｓ１１０４のＹＥＳ）、表示／入力装置１１２０は終了し、電源ボタンが押されていない場合（Ｓ１１０４のＮＯ）、再度Ｓ１１０３に戻って、情報組込み機器１１０から「機能情報要求」が来ているかチェックする。
【０１７９】
（１１）Ｓ１１０３にて、「機能情報要求」が来ている場合（Ｓ１１０３のＹＥＳ）、装置側機器制御部２０は、装置側通信部２４を使って情報組込み機器１１０に対し、表示／入力装置であることと、自身の識別子を情報組込み機器１１０に送信する（Ｓ１１０５）。
（１２）次に、装置側機器制御部２０は、装置側プログラム受信部２３を使って、情報組込み機器１１０から送信される初期設定プログラム１１を受信する（Ｓ１１０６）。
（１３）この時、装置側プログラム受信部２３は、装置側通信部２４を使って初期設定プログラム１１を受信し、装置側プログラム格納部２５に初期設定プログラム１１ａとして格納する。
（１４）その後、装置側機器制御部２０は装置側プログラム格納部２５に格納された初期設定プログラム１１ａを起動する（Ｓ１１０７）。これにより初期設定プログラムに制御が移る。
【０１８０】
（１５）初期設定プログラム１１ａが起動すると、設定制御手段１２ａが動作する。
（１６）設定制御手段１２ａは、まず、表示操作手段１４ａを使って、ＴＶ１１０１で表示されているチャンネルを記憶する（Ｓ１１０８）。表示部２２は、リモコン受光部１１１３からの信号を常に受信しており、現在どのチャンネルが動作しているかを把握している。表示操作手段１４ａは、表示部２２を使って、ＴＶ１１０１が現時点で動作しているチャンネル情報を取得し、記憶する。
（１７）次に、設定制御手段１２ａは、表示操作手段１４ａを使って、ＴＶ１１０１のチャンネルを初期設定画面を表示するチャンネル（例えばＶＴＲ等で行われているような２ｃｈに設定）に切り替える（Ｓ１１０９）。この時、表示操作手段１４ａは、表示部２２を使い、チャンネルを切り替えるリモコンコマンドを生成し、赤外線送信部１１１２からチャンネル変更のコマンドを送信する。これによりＴＶ１１０１は初期設定画面のチャンネルに切り替わる。
（１８）次に設定制御手段１２ａは、入力操作手段１３ａを使って、リモコン受光部１１１３から送られてくるリモコン信号が赤外線送信部１１１２に出力されることを停止し、信号を入力部２１に出力するように切り替える（Ｓ１１１０）。これによりＴＶ１１０１のリモコンの信号は入力部２１が受信でき、ＴＶ１１０１のリモコン受光部には受信されなくなる。
【０１８１】
（１９）ＴＶ１１０１が初期設定画面のチャンネルに切り替わり、ＴＶ１１０１のリモコン情報が表示／入力装置１１２０の入力部２１に入力されるようになると、設定制御手段１２ａは、表示操作手段１４ａを使って現在の設定情報をＴＶ１１０１に出力する（Ｓ１１１１）。表示操作手段１４ａは、表示部２２を使って、現在の設定情報を表す画面（入力画面の一例）を生成し、初期設定画面のチャンネルの信号としてＴＶ１１０１に送信する。
（２０）信号（入力結果）は、表示部２２、内部結線１１１１、映像出力部１１０９、同軸ケーブル１１０２、ＴＶ１１０１のアンテナ入力部１１０７を通ってＴＶ１１０１に送信され、ＴＶ１１０１の画面１１０６に表示される。
（２１）次に設定制御手段１２ａは入力操作手段１３ａを使って、使用者からの設定情報を取得する（Ｓ１１１２）。
（２２）入力操作手段１３ａは入力部２１を使って、ＴＶ１１０１のリモコンのキー情報を取得する。
（２３）リモコンのキー情報は、赤外線１１０５、リモコン受光部１１１３、内部結線１１１４を通って入力部２１に入力される。
（２４）入力部２１は入力された信号をリモコンのキー情報に変え、入力操作手段１３ａに伝達する。
（２５）入力操作手段１３ａはキー情報を設定情報に変換し、設定制御手段１２ａに伝達する。
【０１８２】
（２６）使用者からの設定情報（生成情報の一例）を取得すると、設定制御手段１２ａは、その設定情報が終了を指示するものか判断する（Ｓ１１１３）。
（２７）設定情報が終了を意味するものでない場合（Ｓ１１１３のＮＯ）、設定制御手段１２ａは、装置側通信部２４を使い、情報組込み機器１１０に設定変更コマンドとともに変更する情報を送信する（Ｓ１１１４）。
（２８）そして、Ｓ１１１１に戻り再度表示操作手段１４ａを使って、設定情報が更新された現在の設定情報をＴＶ１１０１に出力する。
（２９）Ｓ１１１１からＳ１１１４の繰り返しにより、使用者は情報組込み機器１１０の初期設定を順に実施していく。
【０１８３】
（３０）Ｓ１１１３にて、設定情報が終了を意味するものである場合（Ｓ１１１３のＹＥＳ）、設定制御手段１２ａは、装置側通信部２４を使い、情報組込み機器１１０に終了コマンドを送信する（Ｓ１１１５）。
（３１）そして、表示操作手段１４ａを使って、ＴＶ１１０１のチャンネルをＳ１１０８で記憶したチャンネルに切り替える（Ｓ１１１６）。この時、表示操作手段１４ａは、表示部２２を使い、チャンネルを切り替えるリモコンコマンドを生成し、赤外線送信部１１１２からチャンネル変更のコマンドを送信する。これによりＴＶ１１０１は初期設定プログラム１１ａが動作する前のチャンネルに切り替わる。
（３２）次に、設定制御手段１２ａは、入力操作手段１３ａを使って、リモコン受光部１１１３から送られてくるリモコン信号を赤外線送信部１１１２に直接出力し、入力部２１に出力することを停止する（Ｓ１１１７）。
（３３）これにより、ＴＶ１１０１のリモコンの信号は、直接ＴＶ１１０１に送られ、通常のＴＶ１１０１の動作と同じ動作が可能となる。
（３４）その後、設定制御手段１２ａは、初期設定プログラム１１ａの動作を終了し、装置側機器制御部２０に制御が戻る。
【０１８４】
（３５）装置側機器制御部２０に制御が戻ると、装置側機器制御部２０は表示／入力装置１１２０の電源ボタンが押されたかチェックする（Ｓ１１０４）。
（３６）電源ボタンが押されている場合（Ｓ１１０４のＹＥＳ）、表示／入力装置１１２０は終了し、電源ボタンが押されていない場合（Ｓ１１０４のＮＯ）、再度Ｓ１１０３に戻って、情報組込み機器１１０から「機能情報要求」が来ているかチェックする。
（３７）以上が、表示／入力装置１１２０の動作である。
【０１８５】
この実施の形態１１による情報組込み機器の初期設定方式では、ＴＶのアンテナ入力部を表示／入力装置の映像出力部に接続し、ＴＶのリモコン受光部を表示／入力装置の赤外線送信部に接続し、表示／入力装置にアンテナを接続し、かつＴＶのリモコンを接続し、表示／入力装置からＴＶに対しリモコン操作と映像／音声出力を操作するようにしたので、既存のＴＶでも情報組込み機器の初期設定ができる情報組込み機器の初期設定方式を得ることができる。
【０１８６】
本実施の形態では、ＴＶと表示／入力装置の映像／音声入出力をアンテナ信号と接続したが、これをビデオ等で使用される外部入力（ライン入力）にしても同様な情報組込み機器の初期設定方式を得ることができる。この場合、アンテナ入力部は必要なく、表示手段はリモコンコマンドで外部入力切替コマンドを送ることにより、初期設定画面に切り替えることができる。さらに、ＴＶと表示／入力装置の映像／音声入出力を無線方式にしてもよい。この場合、表示／入力装置の映像出力部は、放送波の電波を流すことになる。
【０１８７】
また、本実施の形態では、リモコン受信として赤外線を想定しているが、コマンドを表示／入力装置からＴＶに送信できればなんでもよく、他の無線や、有線、またはダイヤル回転式のチャンネル切り替えであれば、表示／入力装置がロボットアーム等でチャンネル切り替えを機械式に操作する方法でも同様な情報組込み機器の初期設定方式を得ることができる。
【０１８８】
以上の実施の形態に係る情報組込み機器の初期設定方式は、情報組込み機器と表示／入力装置とが、ネットワークで通信可能になっている構成において、情報組込み機器および表示／入力装置に以下の構成要素を含むことを特徴とする。
（１）情報組込み機器
（ａ）表示／入力装置を検索する手段
（ｂ）初期設定を行うプログラムを送信する手段
（ｃ）表示／入力装置上で動作し、情報組込み機器の初期設定を行うプログラム
以下の構成要素を含む
１）使用者に情報組込み機器の設定状況を表示する手段
２）使用者から設定情報を取得する手段
３）設定情報を情報組込み機器に送信する手段
（ｄ）初期設定を行うプログラムから設定情報を受信し、情報組込み機器の初期設定情
報として保存する手段
（２）表示／入力装置
（ａ）情報組込み機器の初期設定を行うプログラムを保存する領域
（ｂ）情報組込み機器の初期設定を行うプログラムを受信し、保存し、起動する手段
【０１８９】
以上の実施の形態に係る情報組込み機器の初期設定方式は、以下の構成要素を含むことを特徴とする。
（１）情報組込み機器内に格納されている初期設定プログラムに以下の構成要素を含む。
使用者が操作する表示／入力装置の入力機器の情報を取得し、入力機器の動作状況を表示／入力装置の画面に表示する手段
【０１９０】
以上の実施の形態に係る情報組込み機器の初期設定方式は、情報組込み機器、表示／入力装置およびサーバとが、ネットワークで通信可能になっている構成において、情報組込み機器および表示／入力装置に以下の構成要素を含むことを特徴とする。
（１）情報組込み機器
（ａ）表示／入力装置を検索する手段
（ｂ）情報組込み機器の初期設定を行うプログラムを送信する手段
（ｃ）初期設定を行うプログラムから設定情報を受信し、情報組込み機器の初期設定情
報として保存する手段
（ｄ）情報組込み機器の初期設定を行うプログラムを保存する領域
（ｅ）情報組込み機器の初期設定を行うプログラムを受信し、保存する手段
（２）表示／入力装置
（ａ）情報組込み機器の初期設定を行うプログラムを保存する領域
（ｂ）情報組込み機器の初期設定を行うプログラムを受信し、保存し、起動する手段
（３）サーバ
（ａ）情報組込み機器の初期設定を行うプログラムを保持する領域
（ｂ）情報組込み機器の初期設定プログラムを送信する手段
（ｃ）表示／入力装置上で動作し、情報組込み機器の初期設定を行うプログラム
以下の構成要素を含む
１）使用者に情報組込み機器の設定状況を表示する手段
２）使用者から設定情報を取得する手段
３）設定情報を情報組込み機器に送信する手段
【０１９１】
以上の実施の形態に係る情報組込み機器の初期設定方式は、情報組込み機器、表示／入力装置およびサーバとが、ネットワークで通信可能になっている構成において、情報組込み機器および表示／入力装置に以下の構成要素を含むことを特徴とする。
（１）情報組込み機器
（ａ）表示／入力装置を検索する手段
（ｂ）情報組込み機器の初期設定を行うプログラムを受信し、保存する手段
（ｃ）サーバのネットワーク上の場所と情報組込み機器の機器情報を送信する手段
（２）表示／入力装置
（ａ）情報組込み機器の初期設定を行うプログラムを保存する領域
（ｂ）情報組込み機器の初期設定を行うプログラムを受信し、保存し、起動する手段
（ｃ）サーバのネットワーク上の場所と情報組込み機器の機器情報を受信する手段
（３）サーバ
（ａ）情報組込み機器の初期設定を行うプログラムを保持する領域
（ｂ）情報組込み機器の初期設定プログラムを送信する手段
（ｃ）表示／入力装置上で動作し、情報組込み機器の初期設定を行うプログラム
以下の構成要素を含む
１）使用者に情報組込み機器の設定状況を表示する手段
２）使用者から設定情報を取得する手段
３）設定情報を情報組込み機器に送信する手段
【０１９２】
以上の実施の形態に係る情報組込み機器の初期設定方式は、以下の構成要素を含むことを特徴とする。
（１）表示／入力装置に以下の構成要素を含む
（ａ）情報組込み機器の初期設定情報を保持する不揮発性メモリ
（２）情報組込み機器内に格納されている初期設定プログラムに以下の構成要素を含む
（ａ）表示／入力装置に保存されている初期設定情報を送信する手段
（ｂ）使用者から指示された初期設定情報を表示／入力装置内の不揮発性メモリに
保存する手段
【０１９３】
以上の実施の形態に係る情報組込み機器の初期設定方式は、情報組込み機器、表示／入力装置および保守担当者が駐在するコールセンタとが、ネットワークで通信可能になっている構成において、情報組込み機器および表示／入力装置に以下の構成要素を含むことを特徴とする。
（１）情報組込み機器
（ａ）表示／入力装置を検索する手段
（ｂ）情報組込み機器の初期設定を行うプログラムを送信する手段
（ｃ）表示／入力装置上で動作し、情報組込み機器の初期設定を行うプログラム
１）使用者に情報組込み機器の設定状況を表示する手段
２）使用者から設定情報を取得する手段
３）設定情報を情報組込み機器に送信する手段
４）コールセンタの担当者と使用者が通話できる手段
（ｄ）初期設定を行うプログラムから設定情報を受信し、情報組込み機器の初期設定情
報として保存する手段
（２）表示／入力装置
（ａ）情報組込み機器の初期設定を行うプログラムを保存する領域
（ｂ）情報組込み機器の初期設定を行うプログラムを受信し、保存し、起動する手段
（３）コールセンタ
（ａ）表示／入力装置を操作している使用者と担当者が通話する手段
【０１９４】
以上の実施の形態に係る情報組込み機器の初期設定方式は、以下の構成要素を含むことを特徴とする。
（１）コールセンタ
（ａ）情報組込み機器の初期設定情報を受信する手段
（ｂ）情報組込み機器の初期設定情報を送信する手段
（２）情報組込み機器内に格納されている初期設定プログラム
（ａ）情報組込み機器の初期設定情報を受信する手段
（ｂ）情報組込み機器の初期設定情報を送信する手段
【０１９５】
以上の実施の形態に係る情報組込み機器の初期設定方式は、以下の構成要素を含むことを特徴とする。
（１）情報組込み機器
（ａ）ネットワーク上に存在する表示／入力装置の場所情報を送信する手段
（ｂ）情報組込み機器内に格納されている初期設定プログラムに以下の構成要素を含む
１）他の表示／入力装置に設定中の情報を送信する手段
２）他の表示／入力装置から設定中の情報を受信した場合、初期設定プログラムを終了する手段
【０１９６】
以上の実施の形態に係る情報組込み機器の初期設定方式は、以下の構成要素を含むことを特徴とする。
（１）情報組込み機器
（ａ）通常動作から初期設定動作に切り替わる手段
（ｂ）情報組込み機器内に格納されている初期設定プログラムに以下の構成要素を含む
１）設定情報を情報組込み機器に送信する手段
（ｃ）現在の初期設定情報を送信する手段
（２）表示／入力装置
（ａ）情報組込み機器の初期設定を行うプログラムを複数保存する領域
（ｂ）情報組込み機器の現在の初期設定情報を受信する手段
（ｃ）プログラムを保存する領域にあるプログラムを選択して起動する手段
【０１９７】
以上の実施の形態に係る情報組込み機器の初期設定方式は、情報組込み機器と表示／入力装置とが、ネットワークで通信可能になっている構成において、情報組込み機器および表示／入力装置に以下の構成要素を含むことを特徴とする。
（１）情報組込み機器
（ａ）表示／入力装置を検索する手段
（ｂ）情報組込み機器の設定状況の画面を作成し、送信する手段
（ｃ）使用者のキー入力を受信する手段
（ｄ）キー入力を解釈し、情報組込み機器の初期設定情報として保存する手段
（２）表示／入力装置
（ａ）設定状況の画面を受信し、表示する手段
（ｂ）使用者のキー入力を取得し、送信する手段
【０１９８】
以上の実施の形態に係る情報組込み機器の初期設定方式は、以下の構成要素を含むことを特徴とする。
（１）表示／入力装置
（ａ）ＴＶのアンテナ入力部と結合し、映像／音声信号を出力する手段
（ｂ）ＴＶのリモコン受光部と結合し、チャンネル切り替え信号を出力する手段
（ｃ）ＴＶのリモコンと結合し、リモコンからのキー信号を取得する手段
【図面の簡単な説明】
【０１９９】
【図１】実施の形態１の初期設定方式の全体構成を示す。
【図２】実施の形態１の概要を示すシーケンス図である。
【図３】実施の形態１の情報組込み機器の外観の例を示す。
【図４】図３の情報組込み機器のハードウェア構成を示す。
【図５】実施の形態１の表示／入力装置の外観の例を示す。
【図６】リモコンの外観を示す。
【図７】図５の表示／入力装置のハードウェア構成を示す。
【図８】実施の形態１の情報組込み機器の構成を示す。
【図９】実施の形態１の表示／入力装置の構成を示す。
【図１０】実施の形態１の情報組込み機器の動作のフローチャートである。
【図１１】実施の形態１の表示／入力装置の動作のフローチャートである。
【図１２】実施の形態１の表示画面の例を示す。
【図１３】実施の形態２の情報組込み機器の構成を示す。
【図１４】実施の形態２の表示／入力装置の構成を示す。
【図１５】実施の形態２の表示／入力装置の動作のフローチャートである。
【図１６】実施の形態２の表示画面の例を示す。
【図１７】実施の形態３の初期設定方式の全体構成を示す。
【図１８】実施の形態３の概要を示す図である。
【図１９】実施の形態３の情報組込み機器と表示／入力装置とのシーケンスを示す。
【図２０】実施の形態３の情報組込み機器の構成を示す。
【図２１】実施の形態３の情報組込み機器メーカサーバの動作のフローチャートである。
【図２２】実施の形態３の情報組込み機器の動作のフローチャートである。
【図２３】実施の形態４の概要を示す図である。
【図２４】実施の形態４の情報組込み機器の構成を示す。
【図２５】実施の形態４の表示／入力装置の構成を示す。
【図２６】実施の形態４の情報組込み機器の動作のフローチャートである。
【図２７】実施の形態４の表示／入力装置の動作のフローチャートである。
【図２８】実施の形態５の情報組込み機器の構成を示す。
【図２９】実施の形態５の表示／入力装置の構成を示す。
【図３０】実施の形態５の表示／入力装置の動作のフローチャートである。
【図３１】実施の形態６の初期設定方式の全体構成を示す。
【図３２】実施の形態６の概要を示す図である。
【図３３】実施の形態６の情報組込み機器の構成を示す。
【図３４】実施の形態６の表示／入力装置の構成を示す。
【図３５】実施の形態６の表示／入力装置の動作のフローチャートである。
【図３６】実施の形態６の表示画面の例を示す。
【図３７】実施の形態６の表示画面の例を示す。
【図３８】実施の形態７の概要を示す図である。
【図３９】実施の形態７の情報組込み機器の構成を示す。
【図４０】実施の形態７の表示／入力装置の構成を示す。
【図４１】実施の形態７の表示／入力装置の動作のフローチャートである。
【図４２】実施の形態８の初期設定方式の全体構成を示す。
【図４３】実施の形態８の概要を示す図である。
【図４４】実施の形態８の情報組込み機器の動作のフローチャートである。
【図４５】実施の形態８の表示／入力装置の動作のフローチャートである。
【図４６】実施の形態９の情報組込み機器の構成を示す。
【図４７】実施の形態９の表示／入力装置の構成を示す。
【図４８】実施の形態９の情報組込み機器と表示／入力装置とのシーケンスを示す。
【図４９】実施の形態９の表示／入力装置の動作のフローチャートである。
【図５０】実施の形態９の表示画面の例を示す。
【図５１】実施の形態９の情報組込み機器の動作のフローチャートである。
【図５２】実施の形態１０の情報組込み機器と表示／入力装置とのシーケンスを示す。
【図５３】実施の形態１０の情報組込み機器の構成を示す。
【図５４】実施の形態１０の表示／入力装置の構成を示す。
【図５５】実施の形態１０の情報組込み機器の動作のフローチャートである。
【図５６】実施の形態１０の表示／入力装置の動作のフローチャートである。
【図５７】実施の形態１１の初期設定方式の全体構成を示す。
【図５８】実施の形態１１のＴＶと表示／入力装置との構成を示す。
【図５９】実施の形態１１の表示／入力装置の動作のフローチャートである。
【図６０】従来の構成を示す。
【符号の説明】
【０２００】
４  組込側機器制御部、５  初期設定部、６  プログラム送信部、７  表示／入力装置検索部、８  組込側通信部、９  設定情報格納部、１０  組込側プログラム格納部、１１，１１ａ，１１ｂ，１１ｃ  初期設定プログラム、１２，１２ａ，１２ｂ  設定制御手段、１３，１３ａ，１３ｂ  入力操作手段、１４，１４ａ，１４ｂ  表示操作手段、１５，１５ａ  データ領域、１６  デフォルト格納部、１９  設定情報領域、２０  装置側機器制御部、２１  入力部、２２  表示部、２３  装置側プログラム受信部、２４  装置側通信部、２５  装置側プログラム格納部、３０  画面、３１  表示画面、８０  ＣＰＵ、８１  バス、８２  ＲＯＭ、８３  通信ボード、９１  ファイル群、９３  プログラム群、１１０，１１１，１１２  情報組込み機器、１１５  ＤＶＤ／ＨＤＤレコーダ、１２０，１２１  表示／入力装置、１３０  ネットワーク、１４０  システムユニット、１４１  ＣＰＵ、１４２  バス、１４３  ＲＯＭ、１４４  ＲＡＭ、１４５  通信ボード、１４６  ＴＶチューナ、１４７  ＦＤＤ、１５０  ＣＲＴ表示装置、１５１  リモコン受信部、１５２  カメラ、１５３  マイク、１６１  Ｋ／Ｂ、１６２  マウス、１６３  ＣＤＤ、１６４  スピーカ、１７０  リモコン、１８０  磁気ディスク装置、１８１  ＯＳ、１８２  ウィンドウシステム、１８３  プログラム群、１８４  ファイル群、２１０  情報組込み機器、２２０  表示／入力装置、２００，２００ａ  リモコン情報取得手段、２３０  リモコン表示部、２３１  リモコン表示、２３２，２３３  キー表示、２４１  リモコン情報記憶部、３００  ブロードバンドルータ、３０１  インターネット、３０２  情報組込み機器メーカサーバ、３０３  組込側プログラム受信部、３１０，３１１，３１２  情報組込み機器、４０１  機器情報送信部、４０２  機器情報受信部、４１０  情報組込み機器、４１１  機器情報格納部、４２０  表示／入力装置、５０１，５０１ａ  設定保存手段、５０２  不揮発性メモリ、５０３  設定情報保持領域、５１０  情報組込み機器、５２０  表示／入力装置、６００  コールセンタ、６０１  コールセンタ装置、６０２，６０２ａ  コールセンタ通信手段、６０３  注意表示、６０４  保守担当者映像、６１０，６１１，６１２  情報組込み機器、６２０  表示／入力装置、７０１，７０１ａ  データ送信手段、７０２，７０２ａ  データ受信手段、７１０  情報組込み機器、７２０  表示／入力装置、９０１，９０１ａ  機能情報領域、９１０  情報組込み機器、９２０  表示／入力装置、９２１  表示画面、１００１  組込側プロトコル制御部、１００２  入力情報取得部、１００３  画面作成部、１００４  装置側プロトコル制御部、１００５  入力操作部、１００６  表示操作部、１０１０  情報組込み機器、１０２０  表示／入力装置、１１０１  ＴＶ、１１０２  同軸ケーブル、１１０３  赤外線、１１０４  同軸ケーブル、１１０５  赤外線、１１０６  画面、１１０７  アンテナ入力部、１１０８  リモコン受光部、１１０９  映像出力部、１１１０  アンテナ入力部、１１１１  内部結線、１１１２  赤外線送信部、１１１３  リモコン受光部、１１１４  内部結線、１１２０  表示／入力装置、２００１  コミュニティサーバ、２００２  ネットワーク、２００３  ホームサーバ、２００４  情報家電機器、２００５  操作パネル。
【図１】
2006244396.tif 000003
【図２】
2006244396.tif 000004
【図３】
2006244396.tif 000005
【図４】
2006244396.tif 000006
【図５】
2006244396.tif 000007
【図６】
2006244396.tif 000008
【図７】
2006244396.tif 000009
【図８】
2006244396.tif 000010
【図９】
2006244396.tif 000011
【図１０】
2006244396.tif 000012
【図１１】
2006244396.tif 000013
【図１２】
2006244396.tif 000014
【図１３】
2006244396.tif 000015
【図１４】
2006244396.tif 000016
【図１５】
2006244396.tif 000017
【図１６】
2006244396.tif 000018
【図１７】
2006244396.tif 000019
【図１８】
2006244396.tif 000020
【図１９】
2006244396.tif 000021
【図２０】
2006244396.tif 000022
【図２１】
2006244396.tif 000023
【図２２】
2006244396.tif 000024
【図２３】
2006244396.tif 000025
【図２４】
2006244396.tif 000026
【図２５】
2006244396.tif 000027
【図２６】
2006244396.tif 000028
【図２７】
2006244396.tif 000029
【図２８】
2006244396.tif 000030
【図２９】
2006244396.tif 000031
【図３０】
2006244396.tif 000032
【図３１】
2006244396.tif 000033
【図３２】
2006244396.tif 000034
【図３３】
2006244396.tif 000035
【図３４】
2006244396.tif 000036
【図３５】
2006244396.tif 000037
【図３６】
2006244396.tif 000038
【図３７】
2006244396.tif 000039
【図３８】
2006244396.tif 000040
【図３９】
2006244396.tif 000041
【図４０】
2006244396.tif 000042
【図４１】
2006244396.tif 000043
【図４２】
2006244396.tif 000044
【図４３】
2006244396.tif 000045
【図４４】
2006244396.tif 000046
【図４５】
2006244396.tif 000047
【図４６】
2006244396.tif 000048
【図４７】
2006244396.tif 000049
【図４８】
2006244396.tif 000050
【図４９】
2006244396.tif 000051
【図５０】
2006244396.tif 000052
【図５１】
2006244396.tif 000053
【図５２】
2006244396.tif 000054
【図５３】
2006244396.tif 000055
【図５４】
2006244396.tif 000056
【図５５】
2006244396.tif 000057
【図５６】
2006244396.tif 000058
【図５７】
2006244396.tif 000059
【図５８】
2006244396.tif 000060
【図５９】
2006244396.tif 000061
【図６０】
2006244396.tif 000062